(57)【要約】  リソーススケジューリング指示方法及びその装置、通信システムが提供される。該リソーススケジューリング指示方法は、端末装置がネットワーク装置送信の、上りリンク伝送リソースを指示するためのリソーススケジューリング指示情報を受信し、該上りリンク伝送リソースは、少なくとも１つのリソーススケジューリング単位を含み、１つの該リソーススケジューリング単位は、整数個のスケジューリングされる帯域幅ユニットにおける周波数領域で間隔をあけて分布しているサブキャリアクラスターの集合であり；及び、該端末装置が該上りリンク伝送リソースで上りリンクデータを送信することを含む。
2021530895.tif 000002
【特許請求の範囲】
【請求項１】
リソーススケジューリング指示装置であって、
ネットワーク装置送信の、上りリンク伝送リソースを指示するためのリソーススケジューリング指示情報を受信するための第一受信部であって、前記上りリンク伝送リソースは、少なくとも１つのリソーススケジューリング単位を含み、１つの前記リソーススケジューリング単位は、整数個のスケジューリングされる帯域幅ユニットにおける周波数領域で間隔をあけて分布しているサブキャリアクラスターの集合である、第一受信部；及び
前記上りリンク伝送リソースで上りリンクデータを送信するための第一送信部を含む、装置。
【請求項２】
請求項１に記載の装置であって、
前記整数個のスケジューリングされる帯域幅ユニットは、アンライセンス周波数バンドの１つの周波数キャリア上の周波数領域リソースであり、
前記スケジューリングされる帯域幅ユニットに含まれるリソースブロックの個数は第一値に等しく、前記第一値は整数個の２０ＭＨｚの帯域幅リソースに含まれるリソースブロックの個数である、装置。
【請求項３】
請求項１に記載の装置であって、
前記サブキャリアクラスターはリソースブロック又は整数個のサブキャリアである、装置。
【請求項４】
請求項１に記載の装置であって、
前記リソーススケジューリング指示情報は、前記上りリンク伝送リソースを指示するためのリソース分配域を含み、
前記リソース分配域は、前記少なくとも１つのリソーススケジューリング単位の索引及び／又は数を含む、装置。
【請求項５】
請求項４に記載の装置であって、
前記整数個のスケジューリングされる帯域幅ユニットは、少なくとも２つの前記リソーススケジューリング単位を含み、
前記整数個のスケジューリングされる帯域幅ユニットに含まれる周波数領域リソースで間隔が第一固定値である２つのサブキャリアクラスターは、同一の前記リソーススケジューリング単位に属する、装置。
【請求項６】
請求項５に記載の装置であって、
前記リソーススケジューリング指示情報は、１つの制御情報によりキャリー（ｃａｒｒｙ）され、
前記リソーススケジューリング指示情報は、１つの前記リソース分配域を含み、前記リソース分配域は、前記整数個のスケジューリングされる帯域幅ユニットにおけるスケジューリングされるリソーススケジューリング単位を指示する、装置。
【請求項７】
請求項４に記載の装置であって、
１つの前記リソーススケジューリング単位に含まれるサブキャリアクラスターは１つの前記スケジューリングされる帯域幅ユニットに属し、
各前記スケジューリングされる帯域幅ユニットは、少なくとも２つの前記リソーススケジューリング単位を含み、
１つの前記スケジューリングされる帯域幅ユニットに含まれる周波数領域リソースで間隔が第二固定値である２つのサブキャリアクラスターは、同一の前記リソーススケジューリング単位に属する、装置。
【請求項８】
請求項７に記載の装置であって、
前記リソーススケジューリング指示情報は、１つの制御情報によりキャリー（ｃａｒｒｙ）され、
前記リソーススケジューリング指示情報は、１つの前記リソース分配域を含み、前記リソース分配域は、前記整数個のスケジューリングされる帯域幅ユニットのうちの各帯域幅ユニットに含まれる、前記少なくとも１つのリソーススケジューリング単位の索引に対応するリソーススケジューリング単位がスケジューリングされることを指示する、装置。
【請求項９】
請求項２に記載の装置であって、
上りリンクデータを送信する前にチャネルのＬＢＴを行うためのＬＢＴ部；及び
チャネルのＬＢＴの結果に基づいて、前記整数個のスケジューリングされる帯域幅ユニットのうちの、データ送信に用いられ得る帯域幅ユニットを確定するための確定部であって、前記第一送信部は、前記データ送信に用いられ得る帯域幅ユニットと、前記上りリンク伝送リソースとのオーバーラップの実際データ伝送リソースで前記上りリンクデータを送信する、確定部をさらに含む、装置。
【請求項１０】
請求項９に記載の装置であって、
所定規則に従って前記上りリンクデータを前記実際データ伝送リソースにマッピングするためのマッピング部をさらに含み、
前記所定規則は、前記上りリンクデータが周波数領域と時間領域の順で前記実際データ伝送リソースにおける１つの前記スケジューリングされる帯域幅ユニットの中の前記上りリンク伝送リソースとオーバーラップするリソースにマッピングされた後に、周波数領域と時間領域の順で前記実際データ伝送リソースにおける次の１つの前記スケジューリングされる帯域幅ユニットの中の前記上りリンク伝送リソースとオーバーラップするリソースにマッピングされることである、装置。
【請求項１１】
請求項２に記載の装置であって、
前記スケジューリングされる帯域幅ユニットの両側にはガード間隔が存在し、
前記ガード間隔のサイズはデフォルト値であり、又は、前記ガード間隔のサイズは所定サイズであり、前記所定サイズは、前記帯域幅ユニットにおけるサブキャリア間隔のサイズ及び／又は前記スケジューリングされる帯域幅ユニットの帯域幅のサイズに基づいて確定される、装置。
【請求項１２】
請求項１１に記載の装置であって、
前記ガード間隔の単位はヘルツ、リソースブロック、又はサブキャリアである、装置。
【請求項１３】
リソーススケジューリング指示装置であって、
端末装置に、上りリンク伝送リソースを指示するためのリソーススケジューリング指示情報を送信するための第二送信部であって、前記上りリンク伝送リソースは、少なくとも１つのリソーススケジューリング単位を含み、１つの前記リソーススケジューリング単位は、整数個のスケジューリングされる帯域幅ユニットにおける周波数領域で間隔をあけて分布しているサブキャリアクラスターの集合である、第二送信部；及び
前記上りリンク伝送リソースで端末装置送信の上りリンクデータを受信するための第二受信部を含む、装置。
【請求項１４】
請求項１３に記載の装置であって、
前記整数個のスケジューリングされる帯域幅ユニットは、アンライセンス周波数バンドの１つの周波数キャリア上の周波数領域リソースであり、
前記スケジューリングされる帯域幅ユニットに含まれるリソースブロックの個数は、第一値に等しく、前記第一値は、整数個の２０ＭＨｚの帯域幅リソースに含まれるリソースブロックの個数であり、
前記サブキャリアクラスターは、リソースブロック又は整数個のサブキャリアである、装置。
【請求項１５】
請求項１３に記載の装置であって、
前記リソーススケジューリング指示情報は、前記上りリンク伝送リソースを指示するためのリソース分配域を含み、
前記リソース分配域は、前記少なくとも１つのリソーススケジューリング単位の索引及び／又は数を含む、装置。
【請求項１６】
請求項１５に記載の装置であって、
前記整数個のスケジューリングされる帯域幅ユニットは、少なくとも２つの前記リソーススケジューリング単位を含み、
前記整数個のスケジューリングされる帯域幅ユニットに含まれる周波数領域リソースで間隔が第一固定値である２つのサブキャリアクラスターは、同一の前記リソーススケジューリング単位に属する、装置。
【請求項１７】
請求項１６に記載の装置であって、
前記リソーススケジューリング指示情報は、１つの制御情報によりキャリー（ｃａｒｒｙ）され、
前記リソーススケジューリング指示情報は、１つの前記リソース分配域を含み、前記リソース分配域は、前記整数個のスケジューリングされる帯域幅ユニットにおけるスケジューリングされるリソーススケジューリング単位を指示する、装置。
【請求項１８】
請求項１５に記載の装置であって、
１つの前記リソーススケジューリング単位に含まれるサブキャリアクラスターは、１つの前記スケジューリングされる帯域幅ユニットに属し、
各前記スケジューリングされる帯域幅ユニットは、少なくとも２つの前記リソーススケジューリング単位を含み、
１つの前記スケジューリングされる帯域幅ユニットに含まれる周波数領域リソースで間隔が第二固定値である２つのサブキャリアクラスターは、同一の前記リソーススケジューリング単位に属する、装置。
【請求項１９】
請求項１８に記載の装置であって、
前記リソーススケジューリング指示情報は、１つの制御情報によりキャリー（ｃａｒｒｙ）され、
前記リソーススケジューリング指示情報は、１つの前記リソース分配域を含み、前記リソース分配域は、前記整数個のスケジューリングされる帯域幅ユニットのうちの各帯域幅ユニットに含まれる、前記少なくとも１つのリソーススケジューリング単位の索引に対応するリソーススケジューリング単位がスケジューリングされることを指示する、装置。
【請求項２０】
端末装置を含む通信システムであって、
前記端末装置は、請求項１に記載のリソース確スケジューリング指示装置を含む、通信システム。
【発明の詳細な説明】
【技術分野】
【０００１】
本発明は、通信技術分野に関し、特に、リソース確定方法及びその装置、通信システムに関する。
【背景技術】
【０００２】
近年、無線通信技術が迅速に発達しており、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）規格化では、Ｒｅｌ．１５がリリースされている。Ｒｅｌ．１３から、容量の更なる拡張を考慮して、ＬＴＥ（Ｌｏｎｇ  Ｔｅｒｍ  Ｅｖｏｌｕｔｉｏｎ）技術では、アンライセンス周波数バンドを用いる伝送の研究が行われている。また、Ｒｅｌ．１４から、ｅＬＡＡ（ｅｎｈａｎｃｅｄ  ｌｉｃｅｎｓｅｄ  ｓｐｅｃｔｒｕｍ  ａｓｓｉｓｔｅｄ  ａｃｃｅｓｓ）が導入されており、ｅＬＡＡには、アンライセンス周波数バンドの上りリンク伝送メカニズムが導入されており、また、アンライセンス周波数バンドでワーキングする他の技術との共存を保証するために、ＬＢＴ（Ｌｉｓｔｅｎ−Ｂｅｆｏｒｅ−Ｔａｌｋ）によるチャネル競合アクセスメカニズムが採用されている。
【０００３】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００４】
ｅＬＡＡのデータ伝送がキャリアアグリゲイションのフレームワークの下で行われており、即ち、先ず、端末装置がライセンス周波数バンドでネットワークにアクセスし、そして、ネットワーク装置が端末装置にアンライセンス周波数バンドキャリアを割り当てる。各キャリアは１つのスケジューリング制御シグナリングで該キャリア上の伝送をスケジューリングする必要があり、ＬＴＥシステムでは１つのキャリアの最大帯域幅が２０ＭＨｚである。
【０００５】
将来の無線通信システム、例えば５Ｇ、新無線（Ｎｅｗ  Ｒａｄｉｏ、ＮＲ）システムでは、最大チャネル帯域幅が１００ＭＨｚ（即ち、ｌａｒｇｅ  ｂａｎｄｗｉｄｔｈ（ラージバンド幅））に達することができる。現在の議論では、ＮＲワイドバンド伝送技術もアンライセンス周波数バンドに用いられ得る。しかし、発明者が次のようなことを発見した。即ち、今のところ、ＮＲのアンライセンス周波数バンドの１つの周波数キャリア上でラージバンド幅を利用して伝送を行うときに、データ伝送リソースをスケジューリングする方法が未だにない。
【０００６】
上述の問題を解決するために、本発明の実施例はリソーススケジューリング指示方法及びその装置、通信システムを提供する。
【課題を解決するための手段】
【０００７】
本実施例の第一側面によれば、リソーススケジューリング指示装置が提供され、そのうち、該装置は、
ネットワーク装置送信の、上りリンク伝送リソースを指示するためのリソーススケジューリング指示情報を受信するために用いられる第一受信部であって、該上りリンク伝送リソースは少なくとも１つのリソーススケジューリング単位（unit）を含み、１つの該リソーススケジューリング単位は、整数個のスケジューリングされる帯域幅ユニットにおける周波数領域上で間隔をあけて分布しているサブキャリアクラスターの集合である、第一受信部；及び
該上りリンク伝送リソース上で上りリンクデータを送信するために用いられる第一送信部を含む。
【０００８】
本実施例の第二側面によれば、リソーススケジューリング指示装置が提供され、そのうち、該装置は、
端末装置に、上りリンク伝送リソースを指示するためのリソーススケジューリング指示情報を送信するために用いられる第二送信部であって、該上りリンク伝送リソースは少なくとも１つのリソーススケジューリング単位を含み、１つの該リソーススケジューリング単位は、整数個のスケジューリングされる帯域幅ユニットにおける周波数領域上で間隔をあけて分布しているサブキャリアクラスターの集合である、第二送信部；及び
該上りリンク伝送リソース上で端末装置送信の上りリンクデータを受信するために用いられる第二受信部を含む。
【０００９】
本実施例の第三側面によれば、リソース指示装置が提供され、そのうち、該装置は、
ネットワーク装置送信のリソース設定情報を受信するために用いられ、該リソース設定情報は、該ネットワーク装置が端末装置のために１つの周波数キャリア上で設定する１つ又は複数の帯域幅ユニットを指示するために用いられる、第三受信部を含む。
【００１０】
本実施例の第四側面によれば、リソース指示装置が提供され、そのうち、該装置は、
端末装置にリソース設定情報を送信するために用いられ、該リソース設定情報は、該ネットワーク装置が端末装置のために１つの周波数キャリア上で設定する１つ又は複数の帯域幅ユニットを指示するために用いられる第三送信部を含む。
【００１１】
本実施例の第五側面によれば、通信システムが提供され、該システムは、第一側面又は第二側面に記載のリソーススケジューリング指示装置を含み、或いは、第三側面又は第四側面に記載のリソース指示装置を含む。
【００１２】
本発明の実施例の有益な効果は次の通りであり、即ち、ネットワーク装置がシングルキャリア上の整数個の帯域幅ユニットに含まれる、周波数領域が間隔をあけて分布しているサブキャリアクラスターの集合をスケジューリングして上りリンクデータを伝送することにより、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【００１３】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１４】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００１５】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】本実施例における通信システムを示す図である。
【図２】実施例１におけるリソーススケジューリング指示方法のフローチャートである。
【図３Ａ】リソーススケジューリング単位の分布を示す図である。
【図３Ｂ】リソーススケジューリング単位の分布を示す図である。
【図４】実施例２におけるリソーススケジューリング指示方法のフローチャートである。
【図５】実施例３におけるリソース指示方法のフローチャートである。
【図６】実施例３におけるガード間隔を示す図である。
【図７】実施例４におけるリソース指示方法のフローチャートである。
【図８】実施例４におけるデータ送信方法のフローチャートである。
【図９】実施例５におけるリソーススケジューリング指示装置の構成を示す図である。
【図１０】実施例６におけるリソーススケジューリング指示装置の構成を示す図である。
【図１１】実施例７におけるリソース指示装置の構成を示す図である。
【図１２】実施例８におけるリソース指示装置の構成を示す図である。
【図１３】実施例９におけるネットワーク装置の構成を示す図である。
【図１４】実施例９における端末装置の構成を示す図である。
【発明を実施するための形態】
【００１６】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００１７】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００１８】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００１９】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２０】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２１】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２２】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２３】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行う機器又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２４】
また、用語「ネットワーク側」又は「ネットワーク装置側」とは、ネットワークの側を指し、或る基地局であっても良く、上述のような１つ又は複数のネットワーク装置を含んでも良い。用語「ユーザ側」又は「端末側」又は「端末装置側」とは、ユーザ又は端末の側を指し、或るＵＥであっても良く、上述のような１つ又は複数の端末装置を含んでも良い。
【００２５】
以下、例を挙げて本発明の実施例におけるシナリオについて説明を行うが、本発明は、これに限られない。
【００２６】
図１は、本発明の実施例における通信システムを示す図であり、端末装置及びネットワーク装置を例にとる場合を例示的に示している。図１に示すように、通信システム１００は、ネットワーク装置１０１及び端末装置１０２を含んでも良い。便宜のため、図１では、１つのみの端末装置及び１つのみのネットワーク装置を例にとって説明を行っているが、本発明の実施例はこれに限定されない。
【００２７】
本発明の実施例では、ネットワーク装置１０１と端末装置１０２との間は、従来のトラフィック又は将来実施可能なトラフィックが行われても良い。例えば、これらのトラフィックは、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００２８】
チャネル占用帯域幅（ＯＣＢ）及びパワースペクトル密度（ＰＳＤ）のニーズを満たすために、ＬＴＥ  ｅＬＡＡではリソースブロック集合（Ｉｎｔｅｒｌａｃｅ）を上りリンク伝送リソース分配（割り当て）の基本ユニットとして採用し；１つのｉｎｔｅｒｌａｃｅは１０個のリソースブロック（ＲＢ、Ｒｅｓｏｕｒｃｅ  Ｂｌｏｃｋ）からなり、且つこの１０個のＲＢｓは、等間隔で２０ＭＨｚの帯域幅に分布している。例えば、Ｉｎｔｅｒｌａｃｅ０はＲＢ０、ＲＢ１０、ＲＢ２０、…、ＲＢ９０からなる。ネットワーク装置が上りリンクスケジューリングシグナリングにより１つ又は複数のｉｎｔｅｒｌａｃｅを端末装置に割り当て、これにより、端末装置は上りリンクデータ伝送を行うことができる。
【００２９】
新無線（ＮＲ、Ｎｅｗ  Ｒａｄｉｏ）に基づくアンライセンス周波数バンド物理層アクセス技術がＲＡＮ１＃９２会議から議論されており、且つＮＲワイドバンド（ｗｉｄｅｂａｎｄ）伝送技術のアンライセンス周波数バンドでの応用を議論する必要があると明確に示されており、また、共存する他の伝送技術がないことを保証できない場合、ＮＲのアンライセンス周波数バンドの伝送帯域幅のサイズが２０ＭＨｚの整数倍であるべきことも規定されている。今のところ、ＮＲのアンライセンス周波数バンドにおいて１つの周波数キャリア上で２０ＭＨｚよりも大きいラージバンド幅を用いて伝送を行うときのデータ伝送リソーススケジューリング方法がまだ議論されていない。本発明の実施例は、リソーススケジューリング指示方法、装置及に通信システムを提供し、ＯＳＢ／ＰＳＤを保証した上で、ワイドバンド伝送に適用し、且つ無線リソースの利用率を有効に向上させる目的を達成することができる。
【００３０】
なお、本発明の実施例では、アンライセンス周波数バンドを例にとって説明を行うが、本発明はこれに限られず、類似問題が存在する他のシナリオに適用することもできる。
【実施例１】
【００３１】
図２は本実施例１におけるリソース指示方法のフローチャートであり、該方法は端末装置側に応用される。図２に示すように、該方法は以下のステップを含む。
【００３２】
ステップ２０１：端末装置がネットワーク装置送信の、上りリンク伝送リソースを指示するためのリソーススケジューリング指示情報を受信し、該上りリンク伝送リソースは少なくとも１つのリソーススケジューリング単位を含み；そのうち、１つの該リソーススケジューリング単位は、整数（Ｍ１）個のスケジューリングされる帯域幅ユニットにおける周波数領域上で間隔をあけて分布しているサブキャリアクラスターの集合であり；
ステップ２０２：該端末装置が該上りリンク伝送リソース上で上りリンクデータを送信する。
【００３３】
本実施例では、ワイドバンド伝送の場合、共存する他の伝送技術がないことを保証できないときに、伝送帯域幅のサイズを２０ＭＨｚの整数倍とすべきである。ネットワーク装置は、帯域幅ユニットを単位として端末装置の伝送帯域幅を設定又は指示することができる。
【００３４】
本実施例では、該整数個のスケジューリングされる帯域幅ユニットは、アンライセンス周波数バンドの１つの周波数キャリア上の周波数領域リソースであり；該スケジューリングされる帯域幅ユニットの周波数領域の幅は第一値に等しく、例えば、該第一値は２０ＭＨｚ、４０ＭＨｚ、８０ＭＨｚ、又は１００ＭＨｚであり；或いは、該第一値はさらに、リソースブロック（ＲＢ）数の形式と表れても良く、該スケジューリングされる帯域幅ユニットに含まれるリソースブロックの個数は第一値に等しく、該第一値は整数個の２０ＭＨｚの帯域幅リソースに含まれるリソースブロックの個数である。具体的な数の値はサブキャリア間隔と関係があり、例えば、サブキャリア間隔が１５ｋＨｚである場合、２０ＭＨｚの帯域幅が１０６個のＲＢを含み、帯域幅ユニットには１０６個のＲＢが含まれ（１つのＲＢが１２個のサブキャリアを含む）、４０ＭＨｚ（２個の２０ＭＨｚに相当する）帯域幅が２１６個のＲＢを含み、帯域幅ユニットは２１６個のＲＢが含まれる（１つのＲＢが１２個のサブキャリアを含む）などであるが、ここでは網羅的な例示を省略する。
【００３５】
本実施例では、該帯域幅ユニットの周波数領域の幅の第一値はデフォルト値であっても良く、例えば、該帯域幅ユニットの周波数領域の幅はネットワーク装置及び端末装置が事前定義したものであっても良く、或いは、該帯域幅ユニットの周波数領域の幅はネットワーク装置が上位層シグナリングにより設定しても良く、或いは、該帯域幅ユニットはネットワーク装置が上位層シグナリングにより設定した後に端末装置に指示しても良いが、本実施例はこれに限定されない。
【００３６】
本実施例では、ネットワーク装置は予め端末装置のために伝送帯域幅を設定しても良く、該伝送帯域幅は端末装置が上りリンクデータを送信するために用いられるが、そのすべては必ずしも実際に上りリンクデータを送信するために用いられない。ネットワーク装置は該伝送帯域幅の中で端末装置に、実際にスケジューリングされるスケジューリング帯域幅を指示し、また、該スケジューリング帯域幅で端末装置のために上りリンクデータの送信のための上りリンク伝送リソースを割り当てても良い。以下、上述の伝送帯域幅及びスケジューリング帯域幅についてそれぞれ説明する。
【００３７】
本実施例では、該伝送帯域幅は、ネットワーク装置により１つの周波数キャリア上で端末装置のために設定される１つ又は複数の帯域幅ユニットを含み、そのうち、該周波数キャリアはアンライセンス周波数バンドの周波数であって良いが、本実施例はこれに限定されない。
【００３８】
本実施例では、ステップ２０１の前に、該方法はさらに次のステップを含んでも良く、即ち、Ｓ１（図示せず）：該端末装置が該ネットワーク装置送信のリソース設定情報を受信する。該リソース設定情報は、１つの周波数キャリア上で端末装置のために設定される１つ又は複数（Ｍ２個）の帯域幅ユニットを指示するために用いられ、該リソース設定情報は、設定されるＭ２個の帯域幅ユニットの位置及び／又はサイズの情報を含んでも良く、例えば、該帯域幅ユニットの周波数領域の幅の第一値がデフォルト値であるときに、該位置情報は、該設定される帯域幅ユニットに含まれる１番目及び／又は最後の１つのリソースブロックの順番号を含み、オプションとして、さらにサイズの情報を含んでも良く、例えば、該サイズの情報は、設定される帯域幅ユニットの数Ｍ２、又は、設定されるＭ２個の帯域幅ユニットに含まれるリソースブロックの個数であっても良く；また、例えば、該帯域幅ユニットの周波数領域の幅の第一値が選択可能な値であるときに、該リソース設定情報はさらに、設定されるＭ２個の帯域幅ユニットのうちの各帯域幅ユニットの１番目及び／又は最後の１つのリソースブロックの順番号、及び、それが含むリソースブロックの個数（第一値）を含んでも良く、そのうち、設定されるＭ２個の帯域幅ユニットのうちの各帯域幅ユニットに含まれるリソースブロックの個数は同じであっても良く、異なっても良いが、本実施例はこれに限定されない。
【００３９】
本実施例では、該端末装置は該ネットワーク装置送信の上位層設定シグナリング又はブロードキャスト情報により該リソース設定情報を取得し、例えば、該リソース設定情報はネットワーク装置が端末装置に送信する上位層設定シグナリング又はブロードキャスト情報に含まれても良く、該ブロードキャスト情報はマスター情報ブロック（ＭＩＢ）又はシステム情報ブロック（ＳＩＢ）にキャリー（ｃａｒｒｙ）されても良く、或いは、該リソース設定情報は該ブロードキャスト情報がキャリー（ｃａｒｒｙ）する情報により暗示的に指示されても良い（例えば、システム情報により得られた周波数キャリアに基づいて、帯域幅ユニットに含まれるリソースブロックの個数を暗示的に確定しても良いが、これに限定されない）。
【００４０】
本実施例では、１つの実施方式において、スケジューリング帯域幅は該伝送帯域幅に等しくても良く、該スケジューリング帯域幅は整数（Ｍ１）個のスケジューリングされる帯域幅ユニットに等しく、該伝送帯域幅は設定される１つ又は複数（Ｍ２個）の帯域幅ユニットに等しく、即ち、Ｍ１はＭ２に等しく、設定されるＭ２個の帯域幅ユニットはスケジューリングされるＭ１個の帯域幅ユニットであり、言い換えれば、端末装置は、該リソース設定情報を受信した後に、確定した該リソース設定情報により指示されるＭ２個の帯域幅ユニットに基づいて、スケジューリングされるＭ１個の帯域幅ユニットを確定することができ、即ち、両者は同じである。
【００４１】
本実施例では、１つの実施方式において、スケジューリング帯域幅は該伝送帯域幅以下であっても良く、該スケジューリング帯域幅は整数（Ｍ１）個のスケジューリングされる帯域幅ユニットに等しく、該伝送帯域幅は設定される１つ又は複数（Ｍ２個）の帯域幅ユニットに等しく、即ち、Ｍ１はＭ２以下であり、且つ設定されるＭ２個の帯域幅ユニットは該スケジューリングされるＭ１個の帯域幅ユニットを含む。
【００４２】
該実施方式では、該方法はさらに次のステップを含んでも良く、即ち、Ｓ２（図示せず）：端末装置が該ネットワーク装置送信の帯域幅ユニット指示情報を受信する。該帯域幅ユニット指示情報は該設定される１つ又は複数の帯域幅ユニットにおける該整数個のスケジューリングされる帯域幅ユニットを指示するために用いられ、即ち、該帯域幅ユニット指示情報は設定されるＭ２個の帯域幅ユニットのうち、どの帯域幅ユニットがスケジューリングされるＭ１個の帯域幅ユニットであるかを指示するために用いられる。
【００４３】
１つの実施方式において、該帯域幅ユニット指示情報は該整数個のスケジューリングされる帯域幅ユニットの索引（ｉｎｄｅｘ）を含んでも良く、或いは、該帯域幅ユニット指示情報は設定されるＭ２個の帯域幅ユニットの数に対応するビットマップであっても良く、各ビットは対応する、設定される帯域幅ユニットがスケジューリングされる帯域幅ユニットであるかを指示し、例えば、該帯域幅ユニット指示情報はＭ１個の索引を、それぞれ、スケジューリングされるＭ１個の帯域幅ユニットを標識するために含み、或いは、該帯域幅ユニット指示情報はＭ２個のビットであり、各ビットは１つの設定される帯域幅ユニットに対応し、この場合は、例えば、該ビット値が０であるときに、該設定される帯域幅ユニットがスケジューリングされる帯域幅ユニットでないことを示し、該ビット値が１であるときに、該設定される帯域幅ユニットがスケジューリングされる帯域幅ユニットであることを示しても良く、即ち、Ｍ２個のビット位のうち、１の個数がＭ１である。なお、ここで、０、１を例にとって説明したが、本実施例はこれに限定されない。
【００４４】
もう１つの実施方式において、該スケジューリングされる帯域幅ユニットをより便利に指示するために、設定されるＭ２個の帯域幅ユニットを少なくとも１つの周波数帯域幅に分割しても良く、各周波数帯域幅は少なくとも１つの設定される帯域幅ユニットを含み、帯域幅ユニット指示情報は周波数帯域幅の索引を指示することで該スケジューリングされる帯域幅ユニットを指示する。該実施方式では、該リソース設定情報はさらに周波数帯域幅の設定情報を含み；該周波数帯域幅は少なくとも１つの設定される帯域幅ユニットを含む。該実施方式では、該周波数帯域幅の設定情報は該少なくとも１つの設定される帯域幅ユニットの索引値、及び／又は、該少なくとも１つの設定される帯域幅ユニットの個数を含む。
【００４５】
例えば、設定されるＭ２個の帯域幅ユニットについて、そのうちの一部又は全部を用いてＭ３個の周波数帯域幅を構成し、索引によりＭ３個の周波数帯域幅を一意的に標識し、各周波数帯域幅について、少なくとも１つの設定される帯域幅ユニットを含み、Ｍ３個の周波数帯域幅のうちの各周波数帯域幅に含まれる、設定される帯域幅ユニットの数は同じであっても良く、異なって良い。該Ｍ３個の周波数帯域幅の設定情報を該リソース設定情報に含めても良く、各索引により標識される周波数帯域幅について、該周波数帯域幅の設定情報は該周波数帯域幅に含まれる少なくとも１つの設定される帯域幅ユニットの索引値、及び／又は、該少なくとも１つの設定される帯域幅ユニットの個数を含み、オプションとして、さらに周波数帯域幅に対応する索引を含んでも良い。該実施方式では、該帯域幅ユニット指示情報は１つの該周波数帯域幅の索引を含んでも良く、これにより、該索引により標識される周波数帯域幅に含まれる少なくとも１つの設定される帯域幅ユニットが、スケジューリングされる帯域幅ユニットであることを指示する。本実施例では、該端末装置は該ネットワーク装置送信の無線リソース制御（ＲＲＣ）シグナリング、媒体アクセス制御（ＭＡＣ）シグナリング、及び物理層制御情報のうちの少なくとも１種のシグナリングにより該帯域幅ユニット指示情報を取得することができる。
【００４６】
本実施例では、該周波数帯域幅及び／又は帯域幅ユニットはＮＲに定義される部分帯域幅ＢＷＰであっても良く、定義される他の帯域幅ユニットであっても良いが、本実施例はこれに限定されない。
【００４７】
本実施例では、整数個のスケジューリングされる帯域幅ユニットが互いに重畳（オーバーラップ）せず、即ち、整数個のスケジューリングされる帯域幅ユニットの間には同じ時頻リソースが含まれない。
【００４８】
以上、如何に該整数個のスケジューリングされる帯域幅ユニットを確定するかを説明した。そのうち、Ｍ１及びＭ２はすべて１以上の整数であり、Ｍ２はＭ１以上である。以下、如何に該整数個のスケジューリングされる帯域幅ユニットにおいて、スケジューリングされる上りリンク伝送リソースを指示するかを説明する。
【００４９】
本実施例では、該１つの周波数キャリアがアンライセンス周波数バンドの周波数であるから、その上でスケジューリングされる整数個の帯域幅ユニットもアンライセンス周波数バンドの周波数領域リソースである。
【００５０】
本実施例では、１つのリソーススケジューリング単位は整数個のスケジューリングされる帯域幅ユニットにおける周波数領域上で間隔をあけて分布しているサブキャリアクラスターの集合であり、該サブキャリアクラスターはＲＢであっても良く、整数個のサブキャリアの集合であっても良い。以下、説明の便宜のために、１つのリソーススケジューリング単位を１つのｉｎｔｅｒｌａｃｅと称する。以下、該リソーススケジューリング単位の、整数個のスケジューリングされる帯域幅ユニット上の分布形式について説明する。
【００５１】
１つの実施方式において、該整数個のスケジューリングされる帯域幅ユニットは少なくとも２つの該リソーススケジューリング単位（ｉｎｔｅｒｌａｃｅ）を含み、該整数個のスケジューリングされる帯域幅ユニットに含まれる周波数領域リソース上で間隔が第一固定値である２つのサブキャリアクラスターは同一の該リソーススケジューリング単位に即し、即ち、間隔が第一固定値であることを満たす２つのサブキャリアクラスターはすべて同一のｉｎｔｅｒｌａｃｅに属し、言い換えれば、１つの該リソーススケジューリング単位に含まれるサブキャリアクラスターは整数個のスケジューリングされる帯域幅ユニットの周波数領域リソース上で均一に等間隔で分布しており、該間隔は第一固定値に等しい。そのうち、該整数個のスケジューリングされる帯域幅ユニットにおけるリソーススケジューリング単位は索引により標識され、且つ該少なくとも２つのリソーススケジューリング単位の索引が異なり、即ち、各ｉｎｔｅｒｌａｃｅのために該ｉｎｔｅｒｌａｃｅを一意的に標識する索引を割り当てる。
【００５２】
図３Ａは該実施方式におけるリソーススケジューリング単位の分布を示す図である。図３Ａに示すように、該スケジューリングされるＭ１個の帯域幅ユニット上で、トータルでＮ１個のサブキャリアクラスター、及びＮ２個のリソーススケジューリング単位ｉｎｔｅｒｌａｃｅが含まれ、ｉｎｔｅｒｌａｃｅの索引はそれぞれ０、１、…、Ｎ２−１であり、Ｍ１個の帯域幅ユニットに含まれる周波数領域リソース上での間隔が第一固定値であり、例えば、Ｎ２の２つのサブキャリアクラスターは１つのｉｎｔｅｒｌａｃｅに属し、即ち、１つのｉｎｔｅｒｌａｃｅに含まれるサブキャリアクラスターは整数個のスケジューリングされる帯域幅ユニットの周波数領域リソース上で均一に間隔をあけて分布しており、該間隔は第一固定値Ｎ２に等しく、第一固定値はｉｎｔｅｒｌａｃｅの個数に等しく；そのうち、Ｎ２個のリソーススケジューリング単位ｉｎｔｅｒｌａｃｅのうちの各ｉｎｔｅｒｌａｃｅに含まれるサブキャリアクラスター数は同じであっても良く、異なっても良く、例えば、前の
（外１）
2021530895.tif 000003
個のｉｎｔｅｒｌａｃｅには、
（外２）
2021530895.tif 000004
個のサブキャリアクラスターが含まれ、後の
（外３）
2021530895.tif 000005
個のｉｎｔｅｒｌａｃｅには、
（外４）
2021530895.tif 000006
個のサブキャリアクラスターが含まれ；或いは、例えば、前の
（外５）
2021530895.tif 000007
個のｉｎｔｅｒｌａｃｅには、
（外６）
2021530895.tif 000008
個のサブキャリアクラスターが含まれ、後
（外７）
2021530895.tif 000009
個のｉｎｔｅｒｌａｃｅには、
（外８）
2021530895.tif 000010
個のサブキャリアクラスターが含まれる。
【００５３】
例えば、４０ＭＨｚの帯域幅において３０ｋＨｚのサブキャリア間隔が２つのスケジューリングされる帯域幅ユニットを含み、即ち、Ｍ１＝２であり、その中には１０６個のＲＢが含まれ、索引がＲＢ０乃至ＲＢ１０６であり、サブキャリアクラスターがＲＢを単位とすれば、Ｎ１＝１０６であり、該２つの帯域幅ユニットが１０個のｉｎｔｅｒｌａｃｅを含み、即ち、第一固定値が１０である場合、平均で各ｉｎｔｅｒｌａｃｅに１１（１０６／１０の切り上げ処理）個のＲＢが含まれるべきと計算し、最後の４つの（１０×１１−１０６）ｉｎｔｅｒｌａｃｅに１０個のＲＢを含めることができ、即ち、前の６つのｉｎｔｅｒｌａｃｅには１１個のＲＢが含まれ、後の４つのｉｎｔｅｒｌａｃｅには１０個のＲＢが含まれる。この場合、１番目のｉｎｔｅｒｌａｃｅに含まれる１１個のＲＢは、それぞれ、ＲＢ０、ＲＢ１０、ＲＢ２０、…、ＲＢ１００であり、１０番目のｉｎｔｅｒｌａｃｅに含まれる１０個のＲＢは、それぞれ、ＲＢ９、ＲＢ１９、…、ＲＢ９９である。
【００５４】
或いは、平均で各ｉｎｔｅｒｌａｃｅに１０（１０６／１０の切り捨て処理）個のＲＢが含まれるべきと計算し、前の６つの（１０６−１０×１０）ｉｎｔｅｒｌａｃｅに１１個のＲＢを含めることができ、即ち、後の４つのｉｎｔｅｒｌａｃｅには１０個のＲＢが含まれ、前の６つのｉｎｔｅｒｌａｃｅには１１個のＲＢが含まれる。この場合、１番目のｉｎｔｅｒｌａｃｅに含まれる１０個のＲＢはそれぞれＲＢ０、ＲＢ１０、ＲＢ２０、…、ＲＢ１００であり、１０番目のｉｎｔｅｒｌａｃｅに含まれる１０個のＲＢはそれぞれＲＢ９、ＲＢ１９、…、ＲＢ９９である。
【００５５】
１つの実施方式において、１つのリソーススケジューリング単位に含まれるサブキャリアクラスターは１つのスケジューリングされる帯域幅ユニットに属し、各該スケジューリングされる帯域幅ユニットは少なくとも２つの該リソーススケジューリング単位（ｉｎｔｅｒｌａｃｅ）を含み、そのうち、１つの該スケジューリングされる帯域幅ユニットに含まれる周波数領域リソース上で間隔が第二固定値である２つのサブキャリアクラスターは同一の該リソーススケジューリング単位に属する。即ち、スケジューリングされる帯域幅ユニットのうち、間隔が第二固定値であることを満たす２つのサブキャリアクラスターはすべて同一のｉｎｔｅｒｌａｃｅに属し、言い換えれば、１つの該リソーススケジューリング単位に含まれるサブキャリアクラスターは１つのスケジューリングされる帯域幅ユニットの周波数領域リソース上で均一に間隔をあけて分布しており、該間隔は第二固定値に等しく、そのうち、１つの該スケジューリングされる帯域幅ユニットに含まれる該少なくとも２つのリソーススケジューリング単位は索引により標識され、且つ該少なくとも２つのリソーススケジューリング単位の索引は異なる。即ち、１つのスケジューリングされる帯域幅ユニットにおける各ｉｎｔｅｒｌａｃｅのために、該スケジューリングされる帯域幅ユニットにおけるｉｎｔｅｒｌａｃｅを一意的に標識する索引を割り当てる。
【００５６】
図３Ｂは該実施方式におけるリソーススケジューリング単位の分布を示す図である。図３Ｂに示すように、該スケジューリングされるＭ１個の帯域幅ユニット上で、トータルでＮ１個のサブキャリアクラスターが含まれ、各帯域幅ユニットに含まれるサブキャリアクラスターの数がはじであっても良く、異なっても良く、各帯域幅ユニットに含まれるｉｎｔｅｒｌａｃｅの数量が同じであっても良く、異なっても良い。以下、Ｍ１個の帯域幅ユニットのうちの１つの帯域幅ユニット（Ｑ番目）を例にとって、該帯域幅ユニットにおけるリソーススケジューリング単位の分布を説明し、他の帯域幅ユニットのリソーススケジューリング単位の分布が該Ｑ番目の帯域幅ユニットと類似しているため、ここではその詳しい説明を省略する。Ｑ番目の帯域幅ユニットについて、トータルでＮ３個のサブキャリアクラスター、及びＮ４個のリソーススケジューリング単位ｉｎｔｅｒｌａｃｅが含まれ、Ｑ番目の帯域幅ユニットに含まれる周波数領域リソース上で間隔は第二固定値であり、例えば、Ｎ４の２つのサブキャリアクラスターは１つのｉｎｔｅｒｌａｃｅに属し、即ち、１つのｉｎｔｅｒｌａｃｅに含まれるサブキャリアクラスターはＱ番目の帯域幅ユニットの周波数領域リソース上で均一に間隔をあけて分布しており、該間隔は第二固定値、例えば、Ｎ４に等しく；そのうち、Ｎ４個のリソーススケジューリング単位ｉｎｔｅｒｌａｃｅのうちの各ｉｎｔｅｒｌａｃｅに含まれるサブキャリアクラスターの数は同じであっても良く、異なっても良く、例えば、前の
（外９）
2021530895.tif 000011
個のｉｎｔｅｒｌａｃｅには、
（外１０）
2021530895.tif 000012
個のサブキャリアクラスターが含まれ、後の
（外１１）
2021530895.tif 000013
個のｉｎｔｅｒｌａｃｅには、
（外１２）
2021530895.tif 000014
個のサブキャリアクラスターが含まれ；或いは、例えば、前の
（外１３）
2021530895.tif 000015
個のｉｎｔｅｒｌａｃｅには、
（外１４）
2021530895.tif 000016
個のサブキャリアクラスターが含まれ、後の
（外１５）
2021530895.tif 000017
個のｉｎｔｅｒｌａｃｅには、
（外１６）
2021530895.tif 000018
個のサブキャリアクラスターが含まれる。そのうち、各帯域幅ユニットについて、それが含むｉｎｔｅｒｌａｃｅは１つの帯域幅ユニットにおいて独立で索引が付けられ、例えば、図３Ｂにおける帯域幅ユニット０について、それがｉｎｔｅｒｌａｃｅ０、１、…、Ｎ４０（図示せず）を含み、図３Ｂにおける帯域幅ユニット１について、それがｉｎｔｅｒｌａｃｅ０、１、…、Ｎ４１（図示せず）を含み、帯域幅ユニット０における索引が０であるｉｎｔｅｒｌａｃｅは該帯域幅ユニット０内のｉｎｔｅｒｌａｃｅのみを指し、帯域幅ユニット１における索引が０であるｉｎｔｅｒｌａｃｅは該帯域幅ユニット１内のｉｎｔｅｒｌａｃｅのみを指す。
【００５７】
本実施例では、ネットワーク装置は上述のリソーススケジューリング単位を、端末装置のために上りリンク伝送リソースを割り当てる単位とし、即ち、該上りリンク伝送リソースは少なくとも１つの（Ｘ個の）リソーススケジューリング単位を含み、Ｘは１以上であり、該リソーススケジューリング指示情報は該上りリンク伝送リソースを指示するためのリソース分配域（ｆｉｅｌｄ）を含み、該リソース分配域は該少なくとも１つの（Ｘ個の）リソーススケジューリング単位の索引及び／又は数を含む。該リソーススケジューリング指示情報は少なくとも１つの制御情報によりキャリー（ｃａｒｒｙ）されても良い。
【００５８】
以下、それぞれ、上述の図３Ａ及び図３Ｂを例にとったリソーススケジューリング単位の分布例をもとに、異なるリソーススケジューリング単位の分布例の下でのリソーススケジューリング指示情報の具体的な実施方式について説明する。
【００５９】
図３Ａに例示のリソーススケジューリング単位の分布について、該リソーススケジューリング指示情報は１つの制御情報によりキャリー（ｃａｒｒｙ）されても良く、該リソーススケジューリング指示情報は１つの該リソース分配域を含み；該リソース分配域は該整数個のスケジューリングされる帯域幅ユニットにおいてスケジューリングされるリソーススケジューリング単位を指示する。例えば、該リソーススケジューリング指示情報は１つのＤＣＩによりキャリー（ｃａｒｒｙ）され、該ＤＣＩには１つのリソース分配域が含まれ、該リソース分配域に含まれるｉｎｔｅｒｌａｃｅの索引は０、３、Ｙであり、スケジューリングされるＭ１個の帯域幅ユニットにおいて対応する索引が０、３、Ｙであるｉｎｔｅｒｌａｃｅがスケジューリングされることを表し、上りリンク伝送リソースは３つのｉｎｔｅｒｌａｃｅを含む。
【００６０】
図３Ｂに例示のリソーススケジューリング単位の分布について、１つの実施方式において、そのうち、該リソーススケジューリング指示情報は１つの制御情報によりキャリー（ｃａｒｒｙ）され、該リソーススケジューリング指示情報は１つの該リソース分配域を含み；該リソース分配域は、該整数個のスケジューリングされる帯域幅ユニットのうちの各帯域幅ユニットに含まれる該少なくとも１つのリソーススケジューリング単位の索引に対応するリソーススケジューリング単位がスケジューリングされることを指示する。例えば、該リソーススケジューリング指示情報は１つのＤＣＩによりキャリー（ｃａｒｒｙ）され、該ＤＣＩには１つのリソース分配域が含まれ、共同で各帯域幅ユニットにおけるｉｎｔｅｒｌａｃｅスケジューリング状況を示し、該実施方式では、Ｍ１個のスケジューリングされる帯域幅ユニットのうち、すべての帯域幅ユニットに、スケジューリングされるｉｎｔｅｒｌａｃｅがあっても良く、一部の帯域幅ユニットに、スケジューリングされるｉｎｔｅｒｌａｃｅがあっても良く、具体的にどの帯域幅ユニットに、スケジューリングされるｉｎｔｅｒｌａｃｅがあるかは該ｉｎｔｅｒｌａｃｅの索引により確定されても良く、例えば、該リソース分配域に含まれるｉｎｔｅｒｌａｃｅの索引が０、３、Ｙであり、Ｍ１個の帯域幅ユニットのうちの１つの帯域幅ユニットに索引が０、３、Ｙであるｉｎｔｅｒｌａｃｅが含まれれば、該帯域幅ユニットにおけるｉｎｔｅｒｌａｃｅ０、３、Ｙは上りリンク伝送リソースとしてスケジューリングされ、Ｍ１個のスケジューリングされる帯域幅ユニットのうちの各帯域幅ユニットにすべて索引０、３、Ｙに対応するｉｎｔｅｒｌａｃｅが含まれれば、各帯域幅ユニットの中の対応する索引が０、３、Ｙであるｉｎｔｅｒｌａｃｅはすべてスケジューリングされ、上りリンク伝送リソースはスケジューリングされるＭ１個の帯域幅ユニットのうちの各帯域幅ユニットにおけるｉｎｔｅｒｌａｃｅ０、３、Ｙを含み、該上りリンク伝送リソースは３×Ｍ１個のｉｎｔｅｒｌａｃｅを含み、Ｍ１個の帯域幅ユニットのうちの１つの帯域幅ユニットに索引が０、３、Ｙであるｉｎｔｅｒｌａｃｅが含まれない場合、該帯域幅ユニットの中のｉｎｔｅｒｌａｃｅは上りリンク伝送リソースとしてスケジューリングされることがなく、或いは、Ｍ１個の帯域幅ユニットのうちの１つの帯域幅ユニットに索引が０、３であるｉｎｔｅｒｌａｃｅが含まれる場合、該帯域幅ユニットの中の対応する索引が０、３であるｉｎｔｅｒｌａｃｅはすべてスケジューリングされる。以上、例示的に説明したが、本実施例はこれに限定されず、上りリンク伝送リソースはＭ１個の帯域幅ユニットの中のスケジューリングされるすべてのｉｎｔｅｒｌａｃｅを含む。
【００６１】
図３Ｂに例示のリソーススケジューリング単位の分布について、１つの実施方式において、そのうち、該リソーススケジューリング指示情報は１つの制御情報によりキャリー（ｃａｒｒｙ）され、該リソーススケジューリング指示情報は少なくとも１つの該リソース分配域を含み、該少なくとも１つのリソース分配域の数は該整数個のスケジューリングされる帯域幅ユニットのうちの帯域幅ユニットの数に等しく、そのうち、１つの該リソース分配域は１つのスケジューリングされる帯域幅ユニットにおいてスケジューリングされるリソーススケジューリング単位を指示する。例えば、該リソーススケジューリング指示情報は１つのＤＣＩによりキャリー（ｃａｒｒｙ）され、該ＤＣＩにはＭ１個のリソース分配域が含まれ、各リソース分配域は１つの対応するスケジューリングされる帯域幅ユニットの中のｉｎｔｅｒｌａｃｅのスケジューリング結果を指示し、例えば、第１個目のリソース分配域について、含まれるｉｎｔｅｒｌａｃｅの索引が０であり、第２個目のリソース分配域に含まれるｉｎｔｅｒｌａｃｅの索引が１であり、…、第Ｍ１個目のリソース分配域に含まれるｉｎｔｅｒｌａｃｅの索引が０である場合、第１個目の帯域幅ユニットの中の対応する索引が０であるｉｎｔｅｒｌａｃｅはスケジューリングされ、第２個目の帯域幅ユニットの中の対応する索引が１であるｉｎｔｅｒｌａｃｅはスケジューリングされ、…、第Ｍ１個目の帯域幅ユニットの中の対応する索引が０であるｉｎｔｅｒｌａｃｅはスケジューリングされ、上りリンク伝送リソースはＭ１個の帯域幅ユニットの中のスケジューリングされるすべてのｉｎｔｅｒｌａｃｅを含む。
【００６２】
図３Ｂに例示のリソーススケジューリング単位の分布について、１つの実施方式において、そのうち、該リソーススケジューリング指示情報が少なくとも１つの制御情報によりキャリー（ｃａｒｒｙ）されるときに、該少なくとも１つの制御情報の数は該整数個のスケジューリングされる帯域幅ユニットのうちの帯域幅ユニットの数に等しく、そのうち、１つの制御情報によりキャリー（ｃａｒｒｙ）される該リソーススケジューリング指示情報は１つの帯域幅ユニットにおいてスケジューリングされるリソーススケジューリング単位を指示する。例えば、該リソーススケジューリング指示情報はＭ１個のＤＣＩによりキャリー（ｃａｒｒｙ）され、各ＤＣＩには１つのリソース分配域が含まれ、各ＤＣＩのリソース分配域は１つの対応するスケジューリングされる帯域幅ユニットの中のｉｎｔｅｒｌａｃｅのスケジューリング結果を指示し、例えば、第１個目のＤＣＩのリソース分配域について、含まれるｉｎｔｅｒｌａｃｅの索引が０であり、第２個目のＤＣＩのリソース分配域に含まれるｉｎｔｅｒｌａｃｅの索引が１であり、…、第Ｍ１個目のＤＣＩのリソース分配域に含まれるｉｎｔｅｒｌａｃｅの索引が０である場合、第１個目の帯域幅ユニットの中の対応する索引が０であるｉｎｔｅｒｌａｃｅはスケジューリングされ、第２個目の帯域幅ユニットの中の対応する索引が１であるｉｎｔｅｒｌａｃｅはスケジューリングされ、…、第Ｍ１個目の帯域幅ユニットの中の対応する索引が０であるｉｎｔｅｒｌａｃｅはスケジューリングされ、上りリンク伝送リソースはＭ１個の帯域幅ユニットの中のスケジューリングされるすべてのｉｎｔｅｒｌａｃｅを含む。
【００６３】
本実施例では、ステップ２０１において、該端末装置は少なくとも１種のリソース上で該リソーススケジューリング指示情報を検出することができ、該リソースは次の少なくとも１種を含み、即ち、該整数個のスケジューリングされる帯域幅ユニットの周波数領域リソース、該整数個のスケジューリングされる帯域幅ユニットのうちの１つの帯域幅ユニットの周波数領域リソース、及び該整数個のスケジューリングされる帯域幅ユニットのうちの各帯域幅ユニットの周波数領域リソースであり、このような帯域幅リソース上でリソーススケジューリング指示情報を検出した後に、該リソーススケジューリング指示情報を受信する。例えば、該スケジューリングされる帯域幅ユニット（帯域幅ユニット指示情報）がＲＲＣにより設定され又はＭＡＣ層により指示されるときに、該端末装置はリソーススケジューリング指示情報に対応する帯域幅ユニット上で検出することができ、或いは、該整数個の帯域幅ユニットのうちの、該リソーススケジューリング指示情報に対応する帯域幅ユニット以外の他の帯域幅ユニットのうちの１つの帯域幅ユニット上で検出することができる。
【００６４】
本実施例では、ステップ２０２において、端末装置は該リソーススケジューリング指示情報に基づいて上りリンク伝送リソースを確定し、そして、該上りリンク伝送リソース上でネットワーク装置に上りリンクデータを送信する。
【００６５】
本実施例では、端末装置が上りリンク伝送データを送信する前に、該方法はさらに次のステップ（オプション；図示せず）を含んでも良く、即ち、該端末装置がチャネルのＬＢＴ（ｌｉｓｔｅｎ−ｂｅｆｏｒｅ−ｔａｌｋ、ＬＢＴ）を行い；そのうち、該チャネルのＬＢＴの単位が該帯域幅ユニットであり、即ち、端末装置は上りリンクデータ送信前に、各スケジューリングされる帯域幅ユニットに対して競合窓を含むＬＢＴ検出を行っても良く（即ち、１つの競合窓の時間がアイドル状態になった後に、継続して１つの競合窓の時間を検出し、もし依然としてアイドル状態であれば、該帯域幅ユニット上のチャネルがアイドル状態にあると確定する）；或いは、端末装置は、そのうちの１つのスケジューリングされる帯域幅ユニットに対して競合窓を含むＬＢＴ検出を行い、他の帯域幅ユニットに対して競合窓を含まないＬＢＴ検出を行い（即ち、１つの競合窓の時間がアイドル状態になった後に、該帯域幅ユニット上のチャネルがアイドル状態にあると判定する）；該端末装置はＬＢＴの結果に基づいて該整数個のスケジューリングされる帯域幅ユニットのうちのデータ送信に用いられ得る帯域幅ユニットを確定し（アイドル状態にあるチャネルの所在する帯域幅ユニット）；該端末装置は該データ送信に用いられ得る帯域幅ユニットの中の該上りリンク伝送リソースと重畳する実際データ伝送リソース上で該上りリンクデータを送信する。
【００６６】
或いは、端末装置はそのうち１つのスケジューリングされる帯域幅ユニットに対して競合窓を含まないＬＢＴ検出を行い、他の帯域幅ユニットに対してＬＢＴ検出を行わない。判断結果がチャネルアイドルのときに、該端末装置は該整数Ｍ１個のスケジューリングされる帯域幅ユニットの中の該上りリンク伝送リソース上で該上りリンクデータを送信し、判断結果がチャネルビジーのときに、データを送信せず、或いは、１つ前の受信又は送信のシンボルとの間隔が該競合窓時間長よりも小さいときに、端末装置はＬＢＴ検出を行わず、該整数Ｍ１個のスケジューリングされる帯域幅ユニットの中の該上りリンク伝送リソースと重畳する実際データ伝送リソース上で該上りリンクデータを送信する。
【００６７】
本実施例では、該リソース設定情報はさらに、ＬＢＴ検出を行うかを指示するための指示情報を含んでも良く、或いは、他の情報によりＬＢＴ検出を行うかの指示情報を指示しても良い。
【００６８】
本実施例では、上述のＬＢＴにより、チャネルのＬＢＴの結果に基づいて伝送帯域幅の方式を適応に調整することができ、アンライセンス周波数バンドのＬＢＴの規則が原因で、ラージバンド幅伝送の場合に実際データ伝送帯域幅はＬＢＴの結果に基づいて確定する必要がある。
【００６９】
本実施例では、ＬＢＴの結果を得た後に、上りリンクデータ送信前に、該方法はさらに以下のステップ（図示せず；オプション）を含んでも良い。
【００７０】
該端末装置が所定規則に従って該上りリンクデータを該実際データ伝送リソース（ＬＢＴの結果に基づいて確定される）にマッピングし；そのうち、該所定規則は、該上りリンクデータが周波数領域と時間領域の順（即ち、先に周波数領域、その後、時間領域という順）で該実際データ伝送リソースの１つのスケジューリングされる帯域幅ユニットの中の該上りリンク伝送リソースと重畳するリソースにマッピングされ、そして、周波数領域と時間領域の順で前記実際データ伝送リソースにおける次の１つの前記スケジューリングされる帯域幅ユニットの中の前記上りリンク伝送リソースと重畳するリソースにマッピングされることである。
【００７１】
例えば、該実際データ伝送リソースに対応するスケジューリングされる帯域幅ユニットがＹ個あり、該上りリンクデータはまず、周波数領域と時間領域の順で該Ｙ個のスケジューリングされる帯域幅ユニットの１番目の帯域幅ユニットの中の該上りリンク伝送リソースと重畳するリソースにマッピングされ、そして、周波数領域と時間領域の順で該Ｙ個のスケジューリングされる帯域幅ユニットの２番目の帯域幅ユニットの中の該上りリンク伝送リソースと重畳するリソースにマッピングされ、これに基づいて類推して、周波数領域と時間領域の順で該Ｙ個のスケジューリングされる帯域幅ユニットのＹ番目の帯域幅ユニットの中の該上りリンク伝送リソースと重畳するリソースにマッピングされるまでマッピングが行われ、マッピング完了後に、該実際データ伝送リソース上で上りリンクデータを送信する。
【００７２】
本実施例では、上述のマッピング方式により、各帯域幅ユニットは１つの連続したデータ列になり、アンライセンス周波数バンド上で、端末装置が、ＬＢＴの検出結果がアイドル状態であるチャネルの所在する帯域幅ユニットのみでデータを送信するときに、該データは依然として復号又は一部復号することができるため、データ復号化の効率を向上させることができる。
【００７３】
１つの実施方式において、該実際データ伝送リソースにおける１つの該スケジューリングされる帯域幅ユニットに含まれるリソースにおいて、該上りリンクデータに含まれる１つ又は複数の伝送ブロックがキャリー（ｃａｒｒｙ）され、該１つ又は複数の伝送ブロックは独立で復号することができる。これにより、ネットワーク装置は各伝送ブロックを独立で解読することができ、解読失敗時に、又は、ＬＢＴ検出失敗が原因でデータを送信しないときに、端末装置に、該帯域幅ユニットにおける伝送ブロックを再び伝送し又は再送することのみを指示しても良く、すべての帯域幅ユニット（例えば、実施例１におけるＭ１個のスケジューリングされる帯域幅ユニット）上のデータを再送する必要がないので、リソースの利用率及びデータ伝送の効率をさらに向上させることができる。
【００７４】
１つの実施方式において、該実際データ伝送リソースにおける１つの該スケジューリングされる帯域幅ユニットに含まれるリソースにおいて、上りリンクデータに含まれる１つ又は複数のコードブロックがキャリー（ｃａｒｒｙ）され、該１つ又は複数のコードブロックは独立で復号することができる。
【００７５】
以上のことから、ネットワーク装置は各コードブロックに対して独立で解読することができ、解読失敗時に、又は、ＬＢＴ検出失敗が原因でデータを伝送しないときに、端末装置に、該帯域幅ユニットの中のコードブロックを再び伝送し又は再送することのみを指示しても良く、すべての帯域幅ユニット（例えば、実施例１におけるＭ１個のスケジューリングされる帯域幅ユニット）上のデータを再送する必要がないので、リソースの利用率及びデータ伝送の効率をより一層向上させることができる。
【００７６】
上述の実施例から分かるように、ネットワーク装置がシングルキャリア上の整数個の帯域幅ユニットに含まれる、周波数領域が間隔をあけて分布しているサブキャリアクラスターの集合をスケジューリングして上りリンクデータを伝送することにより、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例２】
【００７７】
図４は本実施例２におけるリソース指示方法のフローチャートであり、該方法はネットワーク装置側に応用される。図４に示すように、該方法は以下のステップを含む。
【００７８】
ステップ４０１：ネットワーク装置が端末装置に、上りリンク伝送リソースを指示するためのリソーススケジューリング指示情報を送信し、該上りリンク伝送リソースは少なくとも１つのリソーススケジューリング単位を含み；そのうち、１つの該リソーススケジューリング単位は、整数（Ｍ１）個のスケジューリングされる帯域幅ユニットにおける周波数領域上で間隔をあけて分布しているサブキャリアクラスターの集合であり；
ステップ４０２：該ネットワーク装置が該上りリンク伝送リソース上で該端末装置送信の上りリンクデータを受信する。
【００７９】
本実施例では、ステップ４０１−４０２の実施方式は実施例１におけるステップ２０１−２０２に対応し、該帯域幅ユニットやリソーススケジューリング単位の意味については実施例１を参照することができるため、ここではその詳しい説明を省略する。
【００８０】
本実施例では、該整数個のスケジューリングされる帯域幅ユニットはアンライセンス周波数バンドの周波数領域リソースであり；該サブキャリアクラスターはリソースブロック又は整数個のサブキャリアである。
【００８１】
本実施例では、該リソーススケジューリング指示情報は上りリンク伝送リソースを指示するためのリソース分配域を含み、該リソース分配域は該少なくとも１つのリソーススケジューリング単位の索引及び／又は数を含み、該リソーススケジューリング指示情報は少なくとも１つの制御情報によりキャリー（ｃａｒｒｙ）される。
【００８２】
１つの実施方式において、該整数個のスケジューリングされる帯域幅ユニットは少なくとも２つの該リソーススケジューリング単位を含み、該整数個のスケジューリングされる帯域幅ユニットに含まれる周波数領域リソース上で間隔が第一固定値である２つのサブキャリアクラスターは同一の該リソーススケジューリング単位に属し、そのうち、１つの該リソーススケジューリング単位に含まれるサブキャリアクラスターは整数個のスケジューリングされる帯域幅ユニットの周波数領域リソース上で均一に間隔をあけて分布しており、該間隔は第一固定値に等しく、該整数個のスケジューリングされる帯域幅ユニットに含まれる該少なくとも２つのリソーススケジューリング単位は索引により標識され、且つ該少なくとも２つのリソーススケジューリング単位の索引は異なる。その具体的な分布方式については実施例１の図３Ａを参照することができるため、ここではその詳しい説明を省略する。
【００８３】
該実施方式では、該リソーススケジューリング指示情報は１つの制御情報によりキャリー（ｃａｒｒｙ）され、該リソーススケジューリング指示情報は１つの該リソース分配域を含み；該リソース分配域は該整数個のスケジューリングされる帯域幅ユニットにおいてスケジューリングされるリソーススケジューリング単位を指示する。
【００８４】
１つの実施方式において、１つの該リソーススケジューリング単位に含まれるサブキャリアクラスターは１つの該スケジューリングされる帯域幅ユニットに属し、各該スケジューリングされる帯域幅ユニットは少なくとも２つの該リソーススケジューリング単位を含み、そのうち、１つの該スケジューリングされる帯域幅ユニットに含まれる周波数領域リソース上で間隔が第二固定値である２つのサブキャリアクラスターは同一の該リソーススケジューリング単位に属し、そのうち、１つの該リソーススケジューリング単位に含まれるサブキャリアクラスターは１つのスケジューリングされる帯域幅ユニットの周波数領域リソース上で均一に間隔をあけて分布しており、該間隔は第二固定値に等しい。１つの該スケジューリングされる帯域幅ユニットに含まれる該少なくとも２つのリソーススケジューリング単位は索引により標識され、且つ該少なくとも２つのリソーススケジューリング単位の索引は異なる。その具体的な分布方式については実施例１の図３Ｂを参照することができるため、ここではその詳しい説明を省略する。
【００８５】
該実施方式では、該リソーススケジューリング指示情報は１つの制御情報によりキャリー（ｃａｒｒｙ）されても良く、該リソーススケジューリング指示情報は１つの該リソース分配域を含み；該リソース分配域は該整数個のスケジューリングされる帯域幅ユニットのうちの各帯域幅ユニットに含まれる、該少なくとも１つのリソーススケジューリング単位の索引に対応するリソーススケジューリング単位がスケジューリングされることを指示し、即ち、各帯域幅ユニットについて、該帯域幅ユニットが該索引のリソーススケジューリング単位を含む場合、該リソーススケジューリング単位はスケジューリングされ、該帯域幅ユニットが該索引のリソーススケジューリング単位を含まない場合、該帯域幅ユニット上のすべてのリソーススケジューリング単位はスケジューリングされることがなく、即ち、該リソース分配域が含む索引は該整数個のスケジューリングされる帯域幅ユニットのうちの各帯域幅ユニットのリソーススケジューリングの状況を確定することができる。
【００８６】
或いは、該実施方式では、該リソーススケジューリング指示情報は１つの制御情報によりキャリー（ｃａｒｒｙ）され、該リソーススケジューリング指示情報は少なくとも１つの該リソース分配域を含み、該少なくとも１つのリソース分配域の数は該整数個のスケジューリングされる帯域幅ユニットのうちの帯域幅ユニットの数に等しく、そのうち、１つの該リソース分配域は１つのスケジューリングされる帯域幅ユニットにおいてスケジューリングされるリソーススケジューリング単位を指示する。
【００８７】
或いは、該実施方式では、該リソーススケジューリング指示情報が少なくとも１つの制御情報によりキャリー（ｃａｒｒｙ）されるときに、該少なくとも１つの制御情報の数は該整数個のスケジューリングされる帯域幅ユニットのうちの帯域幅ユニットの数に等しく、そのうち、１つの制御情報によりキャリー（ｃａｒｒｙ）される該リソーススケジューリング指示情報は１つのスケジューリングされる帯域幅ユニットにおいてスケジューリングされるリソーススケジューリング単位を指示する。
【００８８】
本実施例では、上述のリソーススケジューリング指示情報の具体的な実施方式は実施例１を参照することができ、該制御情報は下りリンク制御情報ＤＣＩであっても良く、その具体例については実施例１を参照することができ、ここではその詳しい説明を省略する。
【００８９】
本実施例では、ステップ４０１の前に、該方法はさらに以下のステップ（図示せず）を含んでも良い。
【００９０】
該ネットワーク装置が該端末装置送信のリソース設定情報を受信し、該リソース設定情報は、該ネットワーク装置により端末装置のために１つの周波数キャリア上で設定される１つ又は複数の帯域幅ユニットを指示するために用いられ；該設定される１つ又は複数の帯域幅ユニットは該整数個のスケジューリングされる帯域幅ユニットを含む。
【００９１】
本実施例では、該設定される１つ又は複数の帯域幅ユニットはアンライセンス周波数バンドの周波数バンドリソースの分配単位である。
【００９２】
本実施例では、該リソース設定情報の具体的な実施方式については実施例１のステップＳ１を参照することができるため、ここではその詳しい説明を省略する。
【００９３】
本実施例では、該ネットワーク装置は端末装置に送信する上位層設定シグナリング又はブロードキャスト情報において該該リソース設定情報をキャリー（ｃａｒｒｙ）することができる。
【００９４】
本実施例では、該リソース設定情報はさらに周波数帯域幅の設定情報を含み；該周波数帯域幅は少なくとも１つの設定される帯域幅ユニットを含む。そのうち、該周波数帯域幅の設定情報の具体的な実施方式については実施例１を参照することができるため、ここではその詳しい説明を省略する。
【００９５】
本実施例では、該設定される１つ又は複数の帯域幅ユニットは該整数個のスケジューリングされる帯域幅ユニットであり、或いは、該方法はさらに以下のステップ（図示せず）を含んでも良い。
【００９６】
該ネットワーク装置が端末装置に帯域幅ユニット指示情報を送信し、該帯域幅ユニット指示情報は該設定される１つ又は複数の帯域幅ユニットにおける該整数個のスケジューリングされる帯域幅ユニットを指示するために用いられる。
【００９７】
そのうち、該帯域幅ユニット指示情報は該ネットワーク装置が送信するＲＲＣシグナリング、ＭＡＣシグナリング、及び物理層制御情報のうちの少なくとも１種のシグナリングにおいてキャリー（ｃａｒｒｙ）されても良い。該帯域幅ユニット指示情報の具体的な実施方式については実施例１のステップＳ２を参照することができるため、ここではその詳しい説明を省略する。
【００９８】
本実施例では、ステップ４０２において、ネットワーク装置は受信した上りリンクデータに対してデマッピング（ｄｅｍａｐｐｉｎｇ）を行うことで該上りリンクデータを取得し、該デマッピングの規則が実施例１におけるマッピングの所定規則に対応するため、ここではその詳しい説明を省略する。
【００９９】
上述の実施例から分かるように、ネットワーク装置がシングルキャリア上の整数個の帯域幅ユニットに含まれる、周波数領域が間隔をあけて分布しているサブキャリアクラスターの集合をスケジューリングして上りリンクデータを伝送することにより、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例３】
【０１００】
図５は本実施例３におけるリソース指示方法のフローチャートであり、該方法はネットワーク装置側に応用される。図５に示すように、該方法は以下のステップを含む。
【０１０１】
ステップ５０１：ネットワーク装置が端末装置にリソース設定情報を送信し、該リソース設定情報は、該ネットワーク装置により端末装置のために１つの周波数キャリア上で設定される１つ又は複数の帯域幅ユニットを指示するために用いられる。
【０１０２】
本実施例では、該設定される１つ又は複数の帯域幅ユニットはアンライセンス周波数バンドの周波数バンドリソースの分配単位であり、該帯域幅ユニットの具体的な意味及び実施方式については実施例１を参照することができる。
【０１０３】
また、本実施例では、該リソース設定情報の具体的な実施方式については考実施例１を参照することができるため、ここではその詳しい説明を省略する。
【０１０４】
本実施例では、該ネットワーク装置は端末装置に送信する上位層設定シグナリング又はブロードキャスト情報において該リソース設定情報をキャリー（ｃａｒｒｙ）することができる。
【０１０５】
本実施例では、ネットワーク装置は該リソース設定情報を用いて端末装置のために伝送帯域幅を設定することができ、該伝送帯域幅は設定される１つ又は複数の帯域幅ユニットを含み、該伝送帯域幅は端末装置が上りリンクデータを送信するために用いられるが、そのすべては必ずしも実際に上りリンクデータを送信するために用いられず、ネットワーク装置は該伝送帯域幅において端末装置に実際にスケジューリングされるスケジューリング帯域幅を指示しても良く、該スケジューリングユニットは整数個のスケジューリングされる帯域幅ユニットを含み、また、該スケジューリング帯域幅で端末装置のために上りリンクデータの送信のための上りリンク伝送リソースを割り当てる。
【０１０６】
本実施例では、バンド内干渉を避けるために、帯域幅ユニットの間にガード間隔を導入しても良く、即ち、各スケジューリングされる帯域幅ユニットの間は重畳せず、該スケジューリングされる帯域幅ユニットの両側（両辺）にはガード間隔が存在する。
【０１０７】
本実施例では、該ガード間隔のサイズはデフォルト値であり、或いは、該ガード間隔のサイズは帯域幅ユニットにおけるサブキャリア間隔のサイズ及び／又は該スケジューリングされる帯域幅ユニットの帯域幅のサイズに基づいて所定サイズと確定されても良い。マルチ帯域幅ユニットが設定されており、且つ他の伝送技術が存在しないことを保証できないときに、ネットワーク装置及び端末装置は１つの帯域幅ユニットの両側にガード間隔が存在し、且つ伝送帯域幅又はスケジューリング中のリソースブロック又はサブキャリアが占用する周波数リソースがガード間隔内の周波数スペクトルを含まないと確定することができる。
【０１０８】
図６は該実施方式におけるガード間隔を示す図であり、図６に示すように、ネットワーク装置及び端末装置は、各帯域幅ユニットの両側にガード間隔が存在し、該ガード間隔のサイズがデフォルト値であると確定し、或いは、対応する帯域幅元（ユニット）におけるサブキャリア間隔のサイズ及び／又は該帯域幅ユニットの帯域幅のサイズに基づいて、該段帯域幅に含まれるＲＢがガード間隔の周波数スペクトルを含まないと確定する。
【０１０９】
本実施例では、該ガード間隔のサイズは１つの周波数の幅であっても良く、或いは、該ガード間隔のサイズは整数個のリソースブロック又は整数個のサブキャリアであっても良く、即ち、該ガード間隔の単位はヘルツ、リソースブロック又はサブキャリアである。
【０１１０】
本実施例では、該方法はさらに次のステップ（図示せず）を含んでも良く、即ち、該ネットワーク装置が上位層シグナリング又はシステム情報によって共存する他の伝送技術があるかを指示するための指示情報を送信する。
【０１１１】
本実施例では、該設定される１つ又は複数の帯域幅ユニットは実施例１における整数個のスケジューリングされる帯域幅ユニットを含み、即ち、１つの実施方式において、該設定される１つ又は複数の帯域幅ユニットは該整数個のスケジューリングされる帯域幅ユニットであり、端末装置は該リソース設定情報受信後に、該整数個のスケジューリングされる帯域幅ユニットを直接確定することができ；１つの実施方式において、該Ｍ１個のスケジューリングされる帯域幅ユニットはＭ２個の設定される帯域幅ユニットのうちの一部の帯域幅ユニット又は全部の帯域幅ユニットであり、具体的にＭ２個の設定される帯域幅ユニットの中のどの帯域幅ユニットが該Ｍ１個のスケジューリングされる帯域幅ユニットとされるかは追加の帯域幅ユニット指示情報により指示されても良く、端末装置は該リソース設定情報及び帯域幅ユニット指示情報に基づいて該整数個のスケジューリングされる帯域幅ユニットを確定することができる。
【０１１２】
よって、本実施方式では、該方法はさらに以下のステップを含んでも良い。
【０１１３】
ステップ５０２（オプション）：ネットワーク装置が端末装置に帯域幅ユニット指示情報を送信し；該帯域幅ユニット指示情報は該設定される１つ又は複数の帯域幅ユニットにおける該整数個のスケジューリングされる帯域幅ユニットを指示するために用いられる。
【０１１４】
１つの実施方式において、該帯域幅ユニット指示情報は該整数個のスケジューリングされる帯域幅ユニットの索引を含んでも良く、或いは、該帯域幅ユニット指示情報は設定されるＭ２個の帯域幅ユニットの数に対応するビットマップであっても良く、各ビットは対応する設定される帯域幅ユニットがスケジューリングされる帯域幅ユニットであるかを指示し、その具体例については実施例１を参照することができるため、ここではその詳しい説明を省略する。
【０１１５】
もう１つの実施方式において、該スケジューリングされる帯域幅ユニットをより便利に指示するために、さらに、設定されるＭ２個の帯域幅ユニットを少なくとも１つの周波数帯域幅に分割しても良く、各周波数帯域幅は少なくとも１つの設定される帯域幅ユニットを含み、帯域幅ユニット指示情報は周波数帯域幅の索引を指示することで該スケジューリングされる帯域幅ユニットを指示し、該実施方式では、該リソース設定情報はさらに周波数帯域幅の設定情報を含んでも良く；該周波数帯域幅は少なくとも１つの設定される帯域幅ユニットを含む。該実施方式では、該周波数帯域幅の設定情報の具体的な実施方式については実施例１を参照することができるため、ここではその詳しい説明を省略する。
【０１１６】
該実施方式では、該帯域幅ユニット指示情報は１つの該周波数帯域幅の索引を含んでも良く、これにより、該索引により標識される周波数帯域幅に含まれる少なくとも１つの設定される帯域幅ユニットがスケジューリングされる帯域幅ユニットであることを指示する。
【０１１７】
本実施例では、ネットワーク装置送信の無線リソース制御（ＲＲＣ）シグナリング、媒体アクセス制御（ＭＡＣ）シグナリング、及び物理層制御情報のうちの少なくとも１種のシグナリングは該帯域幅ユニット指示情報を含む。
【０１１８】
本実施例では、該方法はさらに次のステップ（図示せず）を含んでも良く、即ち、ネットワーク装置が端末装置にリソーススケジューリング指示情報を送信し、また、端末装置送信の上りリンク伝送データを受信し、その具体的な実施方式については実施例２におけるステップ４０１−４０２を参照することができるため、ここではその詳しい説明を省略する。
【０１１９】
本実施例では、該方法はさらに次のステップ（オプション；図示せず）を含んでも良く、即ち、該ネットワーク装置がチャネルのＬＢＴ（ｌｉｓｔｅｎ−ｂｅｆｏｒｅ−ｔａｌｋ、ＬＢＴ）を行い、ＬＢＴの結果に基づいてデータ送受信に用いられ得る帯域幅ユニットを確定し、そして、データ送受信に用いられ得る帯域幅ユニットにおける伝送リソース上で上り下りリンクデータをスケジューリングする。該ＬＢＴの具体的な実施方式については実施例１を参照することができるため、ここではその詳しい説明を省略する。
【０１２０】
上述の実施例から分かるように、ネットワーク装置が予め端末装置のために１つ又は複数の帯域幅ユニットを設定し、また、この設定する帯域幅ユニットにおいてスケジューリングされる帯域幅ユニットを指示し、これにより、シングルキャリア上の整数個の帯域幅ユニットに含まれる、周波数領域が間隔をあけて分布しているサブキャリアクラスターの集合をスケジューリングして上りリンクデータを伝送することで、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【０１２１】
また、チャネルのＬＢＴの結果に基づいて伝送帯域幅の方式を適応に調整し、アンライセンス周波数バンドのＬＢＴの規則が原因で、ラージバンド幅伝送の場合に実際データ伝送帯域幅がＬＢＴの結果に基づいて確定される必要があり、上述の実施例により帯域幅ユニットの両側にガード間隔を導入することで、実際伝送帯域幅の中のバンド内干渉を有効に避け、データ復号化の成功率を上げ、伝送の効率を向上させることができる。
【実施例４】
【０１２２】
図７は本実施例４におけるリソース指示方法のフローチャートであり、該方法は端末装置側に応用される。図７に示すように、該方法は以下のステップを含む。
【０１２３】
ステップ７０１：端末装置がネットワーク装置送信のリソース設定情報を受信し、該リソース設定情報は、該ネットワーク装置により端末装置のために１つの周波数キャリア上で設定される１つ又は複数の帯域幅ユニットを指示するために用いられる。
【０１２４】
本実施例では、該設定される１つ又は複数の帯域幅ユニットはアンライセンス周波数バンドの周波数バンドリソースの分配単位であり、該帯域幅ユニットの具体的な意味及び実施方式については実施例１を参照することができる。
【０１２５】
また、本実施例では、該リソース設定情報の具体的な実施方式については実施例１を参照することができ、ここではその詳しい説明を省略する。
【０１２６】
本実施例では、端末装置はネットワーク装置送信の上位層設定シグナリング又はブロードキャスト情報により該リソース設定情報を得ることができる。
【０１２７】
本実施例では、ネットワーク装置は該リソース設定情報を用いて端末装置のために伝送帯域幅を設定することができ、該伝送帯域幅は設定される１つ又は複数の帯域幅ユニットを含み、該伝送帯域幅は端末装置が上りリンクデータを送信するために用いられるが、そのすべては必ずしも実際に上りリンクデータを送信するために用いられず、ネットワーク装置は該伝送帯域幅において端末装置に、実際にスケジューリングされるスケジューリング帯域幅を指示しても良く、該スケジューリング帯域幅は整数個のスケジューリングされる帯域幅ユニットを含み、また、該スケジューリング帯域幅で端末装置のために上りリンクデータを送信するための上りリンク伝送リソースを割り当てる。
【０１２８】
本実施例では、バンド内干渉を避けるために、帯域幅ユニットの間にガード間隔が導入されても良く、即ち、該整数個のスケジューリングされる帯域幅ユニットの間は重畳せず、該帯域幅ユニットの両辺（両側）にはガード間隔が存在する。該ガード間隔の具体的な実施方式については考実施例３を参照することができるため、ここではその詳しい説明を省略する。
【０１２９】
本実施例では、該方法はさらに次のステップ（オプション；図示せず）を含んでも良く、即ち、該端末装置はネットワーク装置送信の上位層シグナリング又はシステム情報により他の共存する伝送技術があるかを指示するための指示情報を取得する。
【０１３０】
本実施例では、該設定される１つ又は複数の帯域幅ユニットは実施例１における整数個のスケジューリングされる帯域幅ユニットを含み、即ち、１つの実施方式において、該設定される１つ又は複数の帯域幅ユニットは該整数個のスケジューリングされる帯域幅ユニットであり、端末装置は該リソース設定情報受信後に、該整数個のスケジューリングされる帯域幅ユニットを直接確定することができ；１つの実施方式において、該Ｍ１個のスケジューリングされる帯域幅ユニットはＭ２個の設定される帯域幅ユニットのうちの一部の帯域幅ユニット又は全部の帯域幅ユニットであり、具体的にＭ２個の設定される帯域幅ユニットのうちのどの帯域幅ユニットが該Ｍ１個のスケジューリングされる帯域幅ユニットとされるかは追加の帯域幅ユニット指示情報により指示されても良く、端末装置は該リソース設定情報及び帯域幅ユニット指示情報に基づいて、該整数個のスケジューリングされる帯域幅ユニットを確定することができる。
【０１３１】
よって、本実施方式では、該方法はさらに以下のステップを含んでも良い。
【０１３２】
ステップ７０２（オプション）：端末装置がネットワーク装置送信の帯域幅ユニット指示情報を受信し；該帯域幅ユニット指示情報は該設定される１つ又は複数の帯域幅ユニットにおける該整数個のスケジューリングされる帯域幅ユニットを指示するために用いられる。該ステップ７０２の実施方式については実施例３のステップ５０２を参照することができるため、ここではその詳しい説明を省略する。
【０１３３】
本実施例では、該方法はさらに次のステップ（オプション；図示せず）を含んでも良く、即ち、端末装置はネットワーク装置送信のリソーススケジューリング指示情報を受信し、また、ネットワーク装置に上りリンク伝送データを送信し、その具体的な実施方式については実施例１のステップ２０１−２０２を参照することができるため、ここではその詳しい説明を省略する。
【０１３４】
本実施例では、端末装置が上りリンク伝送データを送信する前に、該方法はさらに次のステップ（オプション；図示せず）を含んでも良く、即ち、該端末装置がチャネルのＬＢＴ（ｌｉｓｔｅｎ−ｂｅｆｏｒｅ−ｔａｌｋ、ＬＢＴ）を行う。該ＬＢＴの具体的な実施方式については考実施例１を参照することができるため、ここではその詳しい説明を省略する。
【０１３５】
本実施例では、該リソース設定情報はさらにＬＢＴ検出を行うかを指示するための指示情報を含んでも良く、或いは、他の情報によりＬＢＴ検出を行うかを指示するための指示情報を指示しても良い。
【０１３６】
上述の実施例から分かるように、ネットワーク装置が予め端末装置のために１つ又は複数の帯域幅ユニットを設定し、また、この設定する帯域幅ユニットにおいてスケジューリングされる帯域幅ユニットを指示し、これにより、シングルキャリア上の整数個の帯域幅ユニットに含まれる、周波数領域が間隔をあけて分布しているサブキャリアクラスターの集合をスケジューリングして上りリンクデータを伝送することで、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【０１３７】
また、チャネルのＬＢＴの結果により伝送帯域幅の方式を適応に調整し、アンライセンス周波数バンドのＬＢＴの規則が原因で、ラージバンド幅伝送の場合に実際データ伝送帯域幅がＬＢＴの結果に基づいて確定される必要があり、上述の実施例により帯域幅ユニットの両側にガード間隔を導入することで、実際伝送帯域幅の中のバンド内干渉を有効に避け、データ復号化の成功率を上げ、伝送の効率を向上させることができる。
【０１３８】
なお、ネットワーク装置側では、上述の実施例２、３は任意の組み合わせにより実施し、又は、それぞれ、単独で実施しても良く、また、端末装置側では、上述の実施１、４は任意の組み合わせにより実施し、又は、それぞれ、単独で実施しても良いが、本実施例はこれに限定されない。
【０１３９】
以下、図８をもとにデータ送信方法が提供され、該方法は上述の実施例１−４における内容を組み合わせたものであり、図８は該データ送信方法のフローチャートであり、図８に示すように、該方法は以下のステップを含む。
【０１４０】
ステップ８０１：ネットワーク装置が端末装置にリソース設定情報を送信し；
ステップ８０２（オプション）：ネットワーク装置が端末装置に帯域幅ユニット指示情報を送信し；
ステップ８０３：端末装置が該リソース設定情報に基づいて、又は、該リソース設定情報及び帯域幅ユニット指示情報の両方に基づいて、整数個のスケジューリングされる帯域幅ユニットを確定し；
ステップ８０４：ネットワーク装置が端末装置にリソーススケジューリング指示情報を送信し；
ステップ８０５：端末装置が該リソーススケジューリング指示情報に基づいて上りリンク伝送リソースを確定し；
ステップ８０６：端末装置がその送信する上りリンクデータを所定規則に従って該上りリンク伝送リソースにマッピングし；
ステップ８０７：端末装置が該上りリンク伝送リソース上で上りリンクデータを送信する。
【０１４１】
上述ステップ８０１−８０７の具体的な実施方式については実施例１−４を参照することができるため、ここではその詳しい説明を省略する。なお、ステップ８０７の前に、該方法はさらに次のステップ（図示せず）を含んでも良く、即ち、端末装置がＬＢＴを行い、ＬＢＴの結果に基づいてデータ送信に用いられ得る帯域幅ユニットを確定する。ステップ８０６−８０７では、端末装置はデータ送信に用いられ得る帯域幅ユニットに基づいて実際データ伝送リソースを確定し、上りリンクデータを該実際伝送リソースにマッピングして前記上りリンクデータを送信する。なお、該ＬＢＴの具体的な実施方式及び実際データ伝送リソースの確定方式については実施例１を参照することができるため、ここではその詳しい説明を省略する。
【実施例５】
【０１４２】
本実施例５はさらにリソーススケジューリング指示装置を提供する。該装置が問題を解決する原理が実施例１の方法と同様であるので、その具体的な実施については実施例１の方法の実施を参照することができ、ここでは内容が同じである重複説明を省略する。
【０１４３】
図９は本実施例５のリソーススケジューリング指示装置を示す図である。図９に示すように、装置９００は以下のものを含む。
【０１４４】
第一受信部９０１：ネットワーク装置送信の、上りリンク伝送リソースを指示するためのリソーススケジューリング指示情報を受信するために用いられ、該上りリンク伝送リソースは少なくとも１つのリソーススケジューリング単位を含み；そのうち、１つの該リソーススケジューリング単位は整数個のスケジューリングされる帯域幅ユニットにおける周波数領域上で間隔をあけて分布しているサブキャリアクラスターの集合であり；
第一送信部９０２：該上りリンク伝送リソース上で上りリンクデータを送信するために用いられる。
【０１４５】
本実施例では、該第一受信部９０１と第一送信部９０２の実施方式については実施例１におけるステップ２０１−２０２を参照することができるため、ここではその詳しい説明を省略する。
【０１４６】
また、本実施例では、該帯域幅ユニット、リソーススケジューリング単位、及び上りリンク伝送リソースの意味及び実施方式については実施例１を参照することができるため、ここではその詳しい説明を省略する。
【０１４７】
本実施例では、該装置はさらに以下のものを含んでも良い。
【０１４８】
ＬＢＴ部９０３（オプション）：上りリンクデータ送信前にチャネルのＬＢＴを行うために用いられ；
確定部９０４（オプション）：チャネルのＬＢＴの結果に基づいて該整数個のスケジューリングされる帯域幅ユニットにおいてデータ送信に用いられ得る帯域幅ユニットを確定するために用いられ；該第一送信部は該データ送信に用いられ得る帯域幅ユニットと該上りリンク伝送リソースとの重畳（ｏｖｅｒｌａｐ）する実際データ伝送リソース上で該上りリンクデータを送信する。
【０１４９】
本実施例では、該装置はさらに以下のものを含んでも良い。
【０１５０】
マッピング部９０５（オプション）：所定規則に従って該上りリンクデータを該実際データ伝送リソースにマッピングするために用いられ；そのうち、該所定規則については実施例１を参照することができるため、ここではその詳しい説明を省略する。
【０１５１】
また、本実施例では、該ＬＢＴ部９０３、確定部９０４、及びマッピング部９０５の具体的な実施方式については実施例１を参照することができるため、ここではその詳しい説明を省略する。
【０１５２】
本実施例では、該スケジューリングされる帯域幅ユニットの両側にガード間隔が存在し、該ガード間隔のサイズはデフォルト値であり、或いは、該ガード間隔のサイズは所定サイズであり、該所定サイズは該帯域幅ユニットにおけるサブキャリア間隔のサイズ及び／又は該スケジューリングされる帯域幅ユニットの帯域幅のサイズに基づいて確定され；該ガード間隔の単位はヘルツ、或いはリソースブロック、或いはサブキャリアである。
【０１５３】
本実施例では、該装置はさらに以下のものを含んでも良い。
【０１５４】
第三受信部（オプション；図示せず）：ネットワーク装置送信のリソース設定情報を受信するために用いられ、その具体的な実施方式については実施例１のステップＳ１を参照することができるため、ここではその詳しい説明を省略する。
【０１５５】
本実施例では、該装置はさらに以下のものを含んでも良い。
【０１５６】
第四受信部（オプション；図示せず）：ネットワーク装置送信の帯域幅ユニット指示情報を受信するために用いられ、その具体的な実施方式については実施例１のステップＳ２を参照することができるため、ここではその詳しい説明を省略する。
【０１５７】
上述の実施例から分かるように、ネットワーク装置がシングルキャリア上の整数個の帯域幅ユニットに含まれる、周波数領域が間隔をあけて分布しているサブキャリアクラスターの集合をスケジューリングして上りリンクデータを伝送することにより、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例６】
【０１５８】
本実施例６はさらにリソーススケジューリング指示装置を提供する。該装置が問題を解決する原理が実施例２の方法と同様であるから、その具体的な実施については実施例２の方法の実施を参照することができるため、ここでは内容が同じである重複説明を省略する。
【０１５９】
図１０は本発明の実施例におけるリソーススケジューリング指示装置の構成図であり、図１０に示すように、該装置は以下のものを含む。
【０１６０】
第二送信部１００１：端末装置に、上りリンク伝送リソースを指示するためのリソーススケジューリング指示情報を送信するために用いられ、該上りリンク伝送リソースは少なくとも１つのリソーススケジューリング単位を含み；そのうち、１つの該リソーススケジューリング単位は整数個のスケジューリングされる帯域幅ユニットにおける周波数領域上で間隔をあけて分布しているサブキャリアクラスターの集合であり；
第二受信部１００２：該上りリンク伝送リソース上で端末装置送信の上りリンクデータを受信するために用いられる。
【０１６１】
本実施例では、該第二送信部１００１と第二受信部１００２の実施方式については実施例２のステップ４０１−４０２を参照することができるため、ここではその詳しい説明を省略する。
【０１６２】
また、本実施例では、該帯域幅ユニット、リソーススケジューリング単位、及び上りリンク伝送リソースの意味及び実施方式については実施例１を参照することができるため、ここではその詳しい説明を省略する。
【０１６３】
本実施例では、該装置はさらに処理部（オプション；図示せず）を含んでも良く、それは、チャネルのＬＢＴ及びデータのデマッピングを行い、その具体的な実施方式については実施例２を参照することができるため、ここではその詳しい説明を省略する。
【０１６４】
本実施例では、該スケジューリングされる帯域幅ユニットの両側にガード間隔が存在し、該ガード間隔のサイズはデフォルト値であり、或いは、該ガード間隔のサイズは所定サイズであり、該所定サイズは該帯域幅ユニットにおけるサブキャリア間隔のサイズ及び／又は該スケジューリングされる帯域幅ユニットの帯域幅のサイズに基づいて確定され；該ガード間隔の単位はヘルツ、或いはリソースブロック、或いはサブキャリアでる。
【０１６５】
本実施例では、該装置はさらに以下のものを含んでも良い。
【０１６６】
第三送信部（オプション；図示せず）：端末装置にリソース設定情報を送信するために用いられ、該リソース設定情報の具体的な実施方式については実施例１を参照することができるため、ここではその詳しい説明を省略する。
【０１６７】
本実施例では、該装置はさらに以下のものを含んでも良い。
【０１６８】
第四送信部（オプション；図示せず）：端末装置に帯域幅ユニット指示情報を送信するために用いられ、該帯域幅ユニット指示情報の具体的な実施方式については実施例１を参照することができるため、ここではその詳しい説明を省略する。
【０１６９】
上述の実施例から分かるように、ネットワーク装置がシングルキャリア上の整数個の帯域幅ユニットに含まれる、周波数領域が間隔をあけて分布しているサブキャリアクラスターの集合をスケジューリングして上りリンクデータを伝送することにより、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例７】
【０１７０】
本実施例７はさらにリソース指示装置を提供する。該装置が問題を解決する原理が実施例３の方法と同様であるため、その具体的な実施については実施例３の方法の実施を参照することができるため、ここでは内容が同じである重複説明を省略する。
【０１７１】
図１１は本実施例７におけるリソース指示装置を示す図である。図１１に示すように、装置１１００は以下のものを含む。
【０１７２】
第三送信部１１０１：端末装置にリソース設定情報を送信するために用いられ、該リソース設定情報は、該ネットワーク装置が端末装置のために１つの周波数キャリア上で設定する１つ又は複数の帯域幅ユニットを指示するために用いられる。
【０１７３】
本実施例では、該装置はさらに以下のものを含んでも良い。
【０１７４】
第四送信部１１０２（オプション）：端末装置に帯域幅ユニット指示情報を送信するために用いられ；該帯域幅ユニット指示情報は、該ネットワーク装置により該設定される１つ又は複数の帯域幅ユニットにおける該整数個のスケジューリングされる帯域幅ユニットを指示するために用いられる。
【０１７５】
本実施例では、該第三送信部１１０１と第四送信部１１０２の具体的な実施方式については実施例３のステップ５０１−５０２を参照することができるため、ここではその詳しい説明を省略する。
【０１７６】
上述の実施例から分かるように、ネットワーク装置が予め端末装置のために１つ又は複数の帯域幅ユニットを設定し、また、この設定する帯域幅ユニットにおいてスケジューリングされる帯域幅ユニットを指示し、これにより、シングルキャリア上の整数個の帯域幅ユニットに含まれる、周波数領域が間隔をあけて分布しているサブキャリアクラスターの集合をスケジューリングして上りリンクデータを伝送することで、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例８】
【０１７７】
本実施例８はさらにリソース指示装置を提供する。該装置が問題を解決する原理が実施例４の方法と同様であるので、その具体的な実施については実施例４の方法の実施を参照することができるため、ここでは内容が同じである重複説明を省略する。
【０１７８】
図１２は本発明の実施例におけるリソース指示装置の構成図であり、図１２に示すように、該装置は以下のものを含む。
【０１７９】
第三受信部１２０１：ネットワーク装置送信のリソース設定情報を受信するために用いられ、該リソース設定情報は、該ネットワーク装置が端末装置のために１つの周波数キャリア上で設定する１つ又は複数の帯域幅ユニットを指示するために用いられる。
【０１８０】
本実施例では、該装置はさらに以下のものを含んでも良い。
【０１８１】
第四受信部１２０２（オプション）：ネットワーク装置送信の帯域幅ユニット指示情報を受信するために用いられ；該帯域幅ユニット指示情報は該設定される１つ又は複数の帯域幅ユニットにおける該整数個のスケジューリングされる帯域幅ユニットを指示するために用いられる。
【０１８２】
本実施例では、該第三受信部１２０１と第四受信部１２０２の具体的な実施方式については実施例４のステップ７０１−７０２を参照することができるため、ここではその詳しい説明を省略する。
【０１８３】
本実施例では、該装置はさらに帯域幅確定部（図示せず）を含んでも良く、それは該リソース設定情報に基づいて、或いは、リソース設定情報及び帯域幅ユニット指示情報に基づいて整数個のスケジューリングされる帯域幅ユニットを確定するために用いられ、その具体的な実施方式については実施例１を参照することができるため、ここではその詳しい説明を省略する。
【０１８４】
上述の実施例から分かるように、ネットワーク装置が予め端末装置のために１つ又は複数の帯域幅ユニットを設定し、また、この設定する帯域幅ユニットにおいてスケジューリングされる帯域幅ユニットを指示し、これにより、シングルキャリア上の整数個の帯域幅ユニットに含まれる、周波数領域が間隔をあけて分布しているサブキャリアクラスターの集合をスケジューリングして上りリンクデータを伝送することで、マルチキャリアのアクティベーションとディアクティベーションプロセスを減少させることができるため、スループットを保証した上で、スケジューリングの柔軟性を向上させ、無線リソースの利用率を有効に改善し、データ伝送の効率を向上させ、従来技術における問題を解決することができる。
【実施例９】
【０１８５】
本実施例はさらに通信システムを提供し、該システムは図１を参照することができるため、実施例１乃至８と同じである内容は省略される。本実施例では、通信システム１００は以下のものを含んでも良い。
【０１８６】
ネットワーク装置１０１：その中に実施例６に記載のリソーススケジューリング指示装置１０００或いは実施例７に記載のリソース指示装置１１００が構成されており；
端末装置１０２；その中に実施例５に記載のリソーススケジューリング指示装置９００或いは実施例８に記載のリソース指示装置１２００が配置されている。
【０１８７】
本実施例はさらにネットワーク装置を提供し、それは例えば基地局であっても良いが、これに限定されず、さらに他のネットワーク装置であっても良い。
【０１８８】
図１３は本発明の実施例におけるネットワーク装置の構成図である。図１３に示すように、ネットワーク装置１３００は処理器１３１０（例えば、中央処理装置ＣＰＵ）及び記憶器１３２０を含んでも良い。記憶器１３２０は処理器１３１０に接続される。そのうち、該記憶器１３２０は各種のデータを記憶することができ、さらに情報処理用のプログラム１３３０を記憶し、且つ処理器１３１０の制御下で該プログラム１３３０を実行することができる。
【０１８９】
例えば、処理器１３１０は、プログラム１３３０を実行して実施例２に記載のリソーススケジューリング指示方法を実現するように構成されても良い。例えば、処理器１３１０は次のような制御を行うように構成されても良く、即ち、端末装置に、上りリンク伝送リソースを指示するためのリソーススケジューリング指示情報を送信し、該上りリンク伝送リソースは少なくとも１つのリソーススケジューリング単位を含み、そのうち、１つの該リソーススケジューリング単位は整数個のスケジューリングされる帯域幅ユニットにおける周波数領域上で間隔をあけて分布しているサブキャリアクラスターの集合であり；及び、該上りリンク伝送リソース上で端末装置送信の上りリンクデータを受信する。
【０１９０】
また、例えば、処理器１３１０は、プログラム１３３０を実行して実施例３に記載のリソース指示方法を実現するように構成されても良い。例えば、処理器１３１０は次のような制御を行うように構成されても良く、即ち、端末装置にリソース設定情報を送信し、該リソース設定情報は、該ネットワーク装置が端末装置のために１つの周波数キャリア上で設定する１つ又は複数の帯域幅ユニットを指示するために用いられる。
【０１９１】
また、図１３に示すように、ネットワーク装置１３００はさらに送受信機１３４０、アンテナ１３５０などを含んでも良い。これらの部品の機能が従来技術と類似しているから、ここではその詳しい説明を省略する。なお、ネットワーク装置１３００は図１３に示すすべての部品を含む必要がない。また、ネットワーク装置１３００はさらに図１３にないものを含んでも良い。これついては従来技術を参照することができる。
【０１９２】
本発明の実施例はさらに端末装置を提供する。但し、本発明はこれに限定されず、他の装置であっても良い。
【０１９３】
図１４は本発明の実施例における端末装置を示す図である。図１４に示すように、該端末装置１４００は処理器１４１０及び記憶器１４２０を含んでも良く、記憶器１４２０はデータ及びプログラムを記憶しており、且つ処理器１４１０に接続される。なお、該図は例示に過ぎず、他の類型の構造を用いて、この構造に対して補充又は代替を行うことで、電気通信機能又は他の機能を実現することもできる。
【０１９４】
例えば、処理器１４１０はプログラムを実行して実施例１に記載のリソーススケジューリング指示方法を実現するように構成されても良い。例えば、処理器１４１０は次のような制御を行うように構成されても良く、即ち、ネットワーク装置送信の、上りリンク伝送リソースを指示するためのリソーススケジューリング指示情報を受信し、該上りリンク伝送リソースは少なくとも１つのリソーススケジューリング単位を含み、そのうち、１つの該リソーススケジューリング単位は整数個のスケジューリングされる帯域幅ユニットにおける周波数領域上で間隔をあけて分布しているサブキャリアクラスターの集合であり；及び、該上りリンク伝送リソース上で上りリンクデータを送信する。
【０１９５】
また、例えば、処理器１４１０はプログラムを実行して実施例４に記載のリソース指示方法を実現するように構成されても良い。例えば、処理器１４１０は次のような制御を行うように構成されても良く、即ち、ネットワーク装置送信のリソース設定情報を受信し、該リソース設定情報は、該ネットワーク装置が端末装置のために１つの周波数キャリア上で設定する１つ又は複数の帯域幅ユニットを指示するために用いられる。
【０１９６】
図１４に示すように、該端末装置１４００はさらに通信モジュール化１４３０、入力ユニット１４４０、表示器１４５０、電源１４６０などを含んでも良い。これらの部品の機能が従来技術と類似しているから、ここではその詳しい説明を省略する。なお、端末装置１４００は図１４に示すすべての部品を含む必要がない。また、端末装置１４００はさらに図１４に無い部品を含んでも良いが、これについては従来技術を参照することができる。
【０１９７】
本発明の実施例はさらにコンピュータ可読プログラムを記憶している記憶媒体を提供し、そのうち、前記コンピュータ可読プログラムはリソーススケジューリング指示装置又は端末装置に、実施例１に記載のリソーススケジューリング指示方法を実行させる。
【０１９８】
本発明の実施例はさらにコンピュータ可読プログラムを提供し、そのうち、リソーススケジューリング指示装置又は端末装置中で前記プログラムを実行するときに、前記プログラムは、前記リソーススケジューリング指示装置又は端末装置に、実施例１に記載のリソーススケジューリング指示方法を実行させる。
【０１９９】
本発明の実施例はさらにコンピュータ可読プログラムを記憶している記憶媒体を提供し、そのうち、前記コンピュータ可読プログラムは、リソーススケジューリング指示装置又はネットワーク装置に、実施例２に記載のリソーススケジューリング指示方法を実行させる。
【０２００】
本発明の実施例はさらにコンピュータ可読プログラムを提供し、そのうち、リソーススケジューリング指示装置又はネットワーク装置中で前記プログラムを実行するときに、前記プログラムは前記リソーススケジューリング指示装置又はネットワーク装置に実施例２に記載のリソーススケジューリング指示方法を実行させる。
【０２０１】
本発明の実施例はさらにコンピュータ可読プログラムを記憶している記憶媒体を提供し、そのうち、前記コンピュータ可読プログラムはリソース指示装置又はネットワーク装置に、実施例３に記載のリソース指示方法を実行させる。
【０２０２】
本発明の実施例はさらにコンピュータ可読プログラムを提供し、そのうち、リソース指示装置或端末装置中で前記プログラムを実行するときに、前記プログラムは前記リソース指示装置又はネットワーク装置に、実施例３に記載のリソース指示方法を実行させる。
【０２０３】
本発明の実施例はさらにコンピュータ可読プログラムを記憶している記憶媒体を提供し、そのうち。前記コンピュータ可読プログラムはリソース指示装置又は端末装置に、実施例４に記載のリソース指示方法を実行させる。
【０２０４】
本発明の実施例はさらにコンピュータ可読プログラムを提供し、そのうち、リソース指示装置又は端末装置中で前記プログラムを実行するときに、前記プログラムは前記リソース指示装置又は端末装置に、実施例４に記載のリソース指示方法を実行させる。
【０２０５】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０２０６】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０２０７】
以上、本発明の好ましい実施形態を説明したが、本発明はこのような実施形態に限定されず、本発明の趣旨を離脱しない限り、本発明に対するあらゆる変更は本発明の技術的範囲に属する。
【０２０８】
また、上述の実施例などに関し、さらに以下の付記を開示する。
【０２０９】
（付記１）
リソーススケジューリング指示方法であって、
端末装置がネットワーク装置送信の、上りリンク伝送リソースを指示するためのリソーススケジューリング指示情報を受信し、前記上りリンク伝送リソースは少なくとも１つのリソーススケジューリング単位を含み、１つの前記リソーススケジューリング単位は整数個のスケジューリングされる帯域幅ユニットにおける周波数領域上で間隔をあけて分布しているサブキャリアクラスターの集合であり；及び
前記端末装置が前記上りリンク伝送リソース上で上りリンクデータを送信することを含む、方法。
【０２１０】
（付記２）
付記１に記載の方法であって、
前記整数個のスケジューリングされる帯域幅ユニットはアンライセンス周波数バンドの１つの周波数キャリア上の周波数領域リソースであり；前記スケジューリングされる帯域幅ユニットに含まれるリソースブロックの個数は第一値に等しく、前記第一値は整数個の２０ＭＨｚの帯域幅リソースに含まれるリソースブロックの個数である、方法。
【０２１１】
（付記３）
付記１又は２に記載の方法であって、
前記サブキャリアクラスターはリソースブロック又は整数個のサブキャリアである、方法。
【０２１２】
（付記４）
付記１又は２又は３に記載の方法であって、
前記リソーススケジューリング指示情報は前記上りリンク伝送リソースを指示するためのリソース分配域を含み、前記リソース分配域は前記少なくとも１つのリソーススケジューリング単位の索引及び／又は数を含む、方法。
【０２１３】
（付記５）
付記１乃至４の任意の１項に記載の方法であって、
前記整数個のスケジューリングされる帯域幅ユニットは少なくとも２つの前記リソーススケジューリング単位を含み、前記整数個のスケジューリングされる帯域幅ユニットに含まれる周波数領域リソース上で間隔が第一固定値である２つのサブキャリアクラスターは同一の前記リソーススケジューリング単位に属する。方法。
【０２１４】
（付記６）
付記５に記載の方法であって、
前記整数個のスケジューリングされる帯域幅ユニットに含まれるリソーススケジューリング単位は索引により標識され、且つ前記少なくとも２つのリソーススケジューリング単位の索引は異なる、方法。
【０２１５】
（付記７）
付記５又は６に記載の方法であって、
前記リソーススケジューリング指示情報は１つの制御情報によりキャリー（ｃａｒｒｙ）され、前記リソーススケジューリング指示情報は１つの前記リソース分配域を含み；前記リソース分配域は前記整数個のスケジューリングされる帯域幅ユニットにおいてスケジューリングされるリソーススケジューリング単位を指示するために用いられる、方法。
【０２１６】
（付記８）
付記１乃至４の任意の１項に記載の方法であって、
１つの前記リソーススケジューリング単位に含まれるサブキャリアクラスターは１つの帯域幅ユニットに属し、各前記スケジューリングされる帯域幅ユニットは少なくとも２つの前記リソーススケジューリング単位を含み、そのうち、１つの前記スケジューリングされる帯域幅ユニットに含まれる周波数領域リソース上で間隔が第二固定値である２つのサブキャリアクラスターは同一の前記リソーススケジューリング単位に属する、方法。
【０２１７】
（付記９）
付記８に記載の方法であって、
１つの前記スケジューリングされる帯域幅ユニットに含まれるリソーススケジューリング単位は索引により標識され、且つ前記少なくとも２つのリソーススケジューリング単位の索引は異なる、方法。
【０２１８】
（付記１０）
付記８又は９に記載の方法であって、
前記リソーススケジューリング指示情報は１つの制御情報によりキャリー（ｃａｒｒｙ）され、前記リソーススケジューリング指示情報は１つの前記リソース分配域を含み；前記リソース分配域は前記整数個のスケジューリングされる帯域幅ユニットのうちの各帯域幅ユニット内に含まれる、前記少なくとも１つのリソーススケジューリング単位の索引に対応するリソーススケジューリング単位がスケジューリングされることを指示する、方法。
【０２１９】
（付記１１）
付記８又は９に記載の方法であって、
前記リソーススケジューリング指示情報は１つの制御情報によりキャリー（ｃａｒｒｙ）され、前記リソーススケジューリング指示情報は少なくとも１つの前記リソース分配域を含み、前記少なくとも１つのリソース分配域の数は前記整数個のスケジューリングされる帯域幅ユニットに含まれる帯域幅ユニットの数に等しく、そのうち、１つの前記リソース分配域は１つの前記スケジューリングされる帯域幅ユニットにおいてスケジューリングされるリソーススケジューリング単位を指示する、方法。
【０２２０】
（付記１２）
付記８又は９に記載の方法であって、
前記リソーススケジューリング指示情報が少なくとも１つの制御情報によりキャリー（ｃａｒｒｙ）されるときに、前記少なくとも１つの制御情報の数は前記整数個のスケジューリングされる帯域幅ユニットに含まれる帯域幅ユニットの数に等しく、そのうち、１つの前記制御情報によりキャリー（ｃａｒｒｙ）されるリソーススケジューリング指示情報は１つの前記スケジューリングされる帯域幅ユニットにおいスケジューリングされるリソーススケジューリング単位を指示する、方法。
【０２２１】
（付記１３）
付記１乃至１２の任意の１項に記載の方法であって、さらに、
記端末装置が次の少なくとも１種のリソース上で前記リソーススケジューリング指示情報を検出することを含み、即ち、前記整数個のスケジューリングされる帯域幅ユニットの周波数領域リソース、前記整数個のスケジューリングされる帯域幅ユニットのうちの１つの帯域幅ユニットの周波数領域リソース、及び前記整数個のスケジューリングされる帯域幅ユニットのうちの各帯域幅ユニットの周波数領域リソースである、方法。
【０２２２】
（付記１４）
付記１乃至１３の任意の１項に記載の方法であって、さらに、
前記端末装置が前記ネットワーク装置送信のリソース設定情報を受信することを含み、
前記リソース設定情報は前記ネットワーク装置により端末装置のために前記１つの周波数キャリア上で設定される１つ又は複数の帯域幅ユニットを指示し；前記設定される１つ又は複数の帯域幅ユニットは前記整数個のスケジューリングされる帯域幅ユニットを含む、方法。
【０２２３】
（付記１５）
付記１４に記載の方法であって、
前記設定される１つ又は複数の帯域幅ユニットはアンライセンス周波数バンドの周波数バンドリソースの分配単位である、方法。
【０２２４】
（付記１６）
付記１４又は１５に記載の方法であって、
前記設定される帯域幅ユニットに含まれるリソースブロックの個数は第一値に等しく、前記第一値は整数個の２０ＭＨｚの帯域幅リソースに含まれるリソースブロックの個数である、方法。
【０２２５】
（付記１７）
付記１５又は１６に記載の方法であって、
前記リソース設定情報は前記設定される１つ又は複数の帯域幅ユニットの位置情報及び／又はサイズ情報を含む、方法。
【０２２６】
（付記１８）
付記１７に記載の方法であって、
前記位置情報は前記設定される帯域幅ユニットに含まれる１番目又は最後の１つのリソースブロックの順番号を含み；前記サイズ情報は前記設定される帯域幅ユニットに含まれるリソースブロックの個数を含む、方法。
【０２２７】
（付記１９）
付記１４乃至１８の任意の１項に記載の方法であって、
前記端末装置は受信した前記ネットワーク装置送信の上位層設定シグナリング又はブロードキャスト情報から前記リソース設定情報を得る、方法。
【０２２８】
（付記２０）
付記１４乃至１９の任意の１項に記載の方法であって、
前記リソース設定情報はさらに周波数帯域幅の設定情報を含み；前記周波数帯域幅は少なくとも１つの前記設定される帯域幅ユニットを含む、方法。
【０２２９】
（付記２１）
付記２０に記載の方法であって、
前記周波数帯域幅の設定情報は少なくとも１つの周波数帯域幅のうちの各周波数帯域幅において設定される帯域幅ユニットの索引値、及び／又は、少なくとも１つの周波数帯域幅のうちの各周波数帯域幅において設定される帯域幅ユニットの個数を含む、方法。
【０２３０】
（付記２２）
付記１４乃至２１の任意の１項に記載の方法であって、
前記設定される１つ又は複数の帯域幅ユニットは前記整数個のスケジューリングされる帯域幅ユニットであり、又は、前記方法はさらに、
前記端末装置が前記ネットワーク装置送信の帯域幅ユニット指示情報を受信することを含み、
前記帯域幅ユニット指示情報は前記設定される１つ又は複数の帯域幅ユニットにおける前記整数個のスケジューリングされる帯域幅ユニットを指示するために用いられる、方法。
【０２３１】
（付記２３）
付記２２に記載の方法であって、
前記端末装置は前記ネットワーク装置送信のＲＲＣシグナリング又はＭＡＣシグナリングにより前記帯域幅ユニット指示情報を得る、方法。
【０２３２】
（付記２４）
付記２２に記載の方法であって、
前記端末装置は前記ネットワーク装置送信の物理層制御情報により前記帯域幅ユニット指示情報を得る、方法。
【０２３３】
（付記２５）
付記２２乃至２４の任意の１項に記載の方法であって、
前記帯域幅ユニット指示情報は前記設定される帯域幅ユニットの索引を含み、又は、１つの前記周波数帯域幅の索引を含み、又は、設定される１つ又は複数の帯域幅ユニットの数に対応するビットマップを含み、前記ビットマップの各ビットは対応する１つの設定される帯域幅ユニットがスケジューリングされる帯域幅ユニットであるかを指示するために用いられる、方法。
【０２３４】
（付記２６）
付記１乃至２５の任意の１項に記載の方法であって、
前記方法はさらに、
前記端末装置が上りリンクデータ送信前にチャネルのＬＢＴを行うことを含み；そのうち、チャネルのＬＢＴの単位は前記帯域幅ユニットである、方法。
【０２３５】
（付記２７）
付記２６に記載の方法であって、
前記方法はさらに、
前記端末装置がチャネルのＬＢＴの結果に基づいて前記整数個のスケジューリングされる帯域幅ユニットのうちのデータ送信に用いられ得る帯域幅ユニットを確定し；前記端末装置が前記データ送信に用いられ得る帯域幅ユニットと前記上りリンク伝送リソースとの重畳する実際データ伝送リソース上で前記上りリンクデータを送信することを含む、方法。
【０２３６】
（付記２８）
付記１乃至２７の任意の１項に記載の方法であって、
前記整数個のスケジューリングされる帯域幅ユニットに含まれる帯域幅ユニットの間は重畳せず、且つ、前記スケジューリングされる帯域幅ユニットの両側にはガード間隔が存在する、方法。
【０２３７】
（付記２９）
付記２８に記載の方法であって、
前記ガード間隔のサイズはデフォルト値であり、又は、前記ガード間隔のサイズは所定サイズであり、前記所定サイズは前記スケジューリングされる帯域幅ユニットにおけるサブキャリア間隔のサイズ及び／又は前記スケジューリングされる帯域幅ユニットの帯域幅のサイズに基づいて確定される、方法。
【０２３８】
（付記３０）
付記２９に記載の方法であって、
前記ガード間隔の単位はヘルツ、又はリソースブロック、又はサブキャリアである、方法。
【０２３９】
（付記３１）
付記２７乃至３０の任意の１項に記載の方法であって、
前記方法はさらに、
前記端末装置が所定規則に従って前記上りリンクデータを前記実際データ伝送リソースにマッピングすることを含み；そのうち、前記所定規則は、
前記上りリンクデータが先に周波数領域その後に時間領域という順序で前記実際データ伝送リソースにおける１つの前記スケジューリングされる帯域幅ユニットの中の前記上りリンク伝送リソースと重畳するリソースにマッピングされた後に、先に周波数領域その後に時間領域という順序で前記実際データ伝送リソースにおける次の１つの前記スケジューリングされる帯域幅ユニットの中の前記上りリンク伝送リソースと重畳するリソースにマッピングされることである、方法。
【０２４０】
（付記３２）
付記２７乃至３１の任意の１項に記載の方法であって、
前記実際データ伝送リソースにおける１つの前記スケジューリングされる帯域幅ユニットに含まれるリソースには前記上りリンクデータに含まれる１つ又は複数の伝送ブロックがキャリー（ｃａｒｒｙ）されており、前記１つ又は複数の伝送ブロックは独立して復号化することができる、方法。
【０２４１】
（付記３３）
付記１乃至３１の任意の１項に記載の方法であって、
前記実際データ伝送リソースにおける１つの前記スケジューリングされる帯域幅ユニットに含まれるリソースには前記上りリンクデータに含まれる１つ又は複数のコードブロックがキャリー（ｃａｒｒｙ）されており、前記１つ又は複数のコードブロックは独自で復号化することができる、方法。
【０２４２】
（付記３４）
リソーススケジューリング指示方法であって、
前記方法は、
ネットワーク装置が端末装置に、上りリンク伝送リソースを指示するためのリソーススケジューリング指示情報を送信し、前記上りリンク伝送リソースは少なくとも１つのリソーススケジューリング単位を含み、１つの前記リソーススケジューリング単位は整数個のスケジューリングされる帯域幅ユニットにおける周波数領域上で間隔をあけて分布しているサブキャリアクラスターの集合であり；及び
前記ネットワーク装置が前記上りリンク伝送リソース上で前記端末装置送信の上りリンクデータを受信することを含む、方法。
【０２４３】
（付記３５）
付記３４に記載の方法であって、
前記整数個のスケジューリングされる帯域幅ユニットはアンライセンス周波数バンドの１つの周波数キャリア上の周波数領域リソースであり；前記スケジューリングされる帯域幅ユニットに含まれるリソースブロックの個数は第一値に等しく、前記第一値は整数個の２０ＭＨｚの帯域幅リソースに含まれるリソースブロックの個数である、方法。
【０２４４】
（付記３６）
付記３４又は３５に記載の方法であって、
前記サブキャリアクラスターはリソースブロック又は整数個のサブキャリアである、方法。
【０２４５】
（付記３７）
付記３４乃至３６の任意の１項に記載の方法であって、
前記リソーススケジューリング指示情報は前記上りリンク伝送リソースを指示するためのリソース分配域を含み、前記リソース分配域は前記少なくとも１つのリソーススケジューリング単位の索引及び／又は数を含む、方法。
【０２４６】
（付記３８）
付記３４乃至３７の任意の１項に記載の方法であって、
前記整数個のスケジューリングされる帯域幅ユニットは少なくとも２つの前記リソーススケジューリング単位を含み、前記整数個のスケジューリングされる帯域幅ユニットに含まれる周波数領域リソース上で間隔が第一固定値である２つのサブキャリアクラスターは同一の前記リソーススケジューリング単位に属する、方法。
【０２４７】
（付記３９）
付記３８に記載の方法であって、
前記整数個のスケジューリングされる帯域幅ユニットに含まれるリソーススケジューリング単位は索引により標識され、且つ前記少なくとも２つのリソーススケジューリング単位の索引は異なる、方法。
【０２４８】
（付記４０）
付記３８又は３９に記載の方法であって、
前記リソーススケジューリング指示情報は１つの制御情報によりキャリー（ｃａｒｒｙ）され、前記リソーススケジューリング指示情報は１つの前記リソース分配域を含み；前記リソース分配域は前記整数個のスケジューリングされる帯域幅ユニットにおいてスケジューリングされるリソーススケジューリング単位を指示する、方法。
【０２４９】
（付記４１）
付記３４乃至３７の任意の１項に記載の方法であって、
１つの前記リソーススケジューリング単位に含まれるサブキャリアクラスターは１つの帯域幅ユニットに属し、各前記スケジューリングされる帯域幅ユニットは少なくとも２つの前記リソーススケジューリング単位を含み、そのうち、１つの前記スケジューリングされる帯域幅ユニットに含まれる周波数領域リソース上で間隔が第二固定値である２つのサブキャリアクラスターは同一の前記リソーススケジューリング単位に属する、方法。
【０２５０】
（付記４２）
付記４１に記載の方法であって、
１つの前記スケジューリングされる帯域幅ユニットに含まれるリソーススケジューリング単位は索引により標識され、且つ前記少なくとも２つのリソーススケジューリング単位の索引は異なる、方法。
【０２５１】
（付記４３）
付記４１又は４２に記載の方法であって、
前記リソーススケジューリング指示情報は１つの制御情報によりキャリー（ｃａｒｒｙ）され、前記リソーススケジューリング指示情報は１つの前記リソース分配域を含み；前記リソース分配域は前記整数個のスケジューリングされる帯域幅ユニットのうちの各帯域幅ユニット内に含まれる、前記少なくとも１つのリソーススケジューリング単位の索引に対応するリソーススケジューリング単位がスケジューリングされることを指示する、方法。
【０２５２】
（付記４４）
付記４１又は４２に記載の方法であって、
前記リソーススケジューリング指示情報は１つの制御情報によりキャリー（ｃａｒｒｙ）され、前記リソーススケジューリング指示情報は少なくとも１つの前記リソース分配域を含み、前記少なくとも１つのリソース分配域の数は前記整数個のスケジューリングされる帯域幅ユニットに含まれる帯域幅ユニットの数に等しく、そのうち、１つの前記リソース分配域は１つの前記スケジューリングされる帯域幅ユニットにおいてスケジューリングされるリソーススケジューリング単位を指示する、方法。
【０２５３】
（付記４５）
付記４１又は４２に記載の方法であって、
前記リソーススケジューリング指示情報が少なくとも１つの制御情報によりキャリー（ｃａｒｒｙ）されるときに、前記少なくとも１つの制御情報の数は前記整数個のスケジューリングされる帯域幅ユニットに含まれる帯域幅ユニットの数に等しく、そのうち、１つの前記制御情報がキャリー（ｃａｒｒｙ）するリソーススケジューリング指示情報は１つの前記スケジューリングされる帯域幅ユニットにおいてスケジューリングされるリソーススケジューリング単位を指示する、方法。
【０２５４】
（付記４６）
付記３４乃至４５の任意の１項に記載の方法であって、
前記方法はさらに、
前記ネットワーク装置が前記端末装置にリソース設定情報を送信し、前記リソース設定情報は前記ネットワーク装置により端末装置のために前記１つの周波数キャリア上で設定される１つ又は複数の帯域幅ユニットを指示するために用いられることを含み、
前記設定される１つ又は複数の帯域幅ユニットは前記整数個のスケジューリングされる帯域幅ユニットを含む、方法。
【０２５５】
（付記４７）
付記４６に記載の方法であって、
前記設定される１つ又は複数の帯域幅ユニットはアンライセンス周波数バンドの周波数バンドリソースの分配単位である、方法。
【０２５６】
（付記４８）
付記４６又は４７に記載の方法であって、
前記設定される帯域幅ユニットに含まれるリソースブロックの個数は第一値に等しく、前記第一値は整数個の２０ＭＨｚの帯域幅リソースに含まれるリソースブロックの個数である、方法。
【０２５７】
（付記４９）
付記４７又は４８に記載の方法であって、
前記リソース設定情報は前記設定される１つ又は複数の帯域幅ユニットの位置情報及び／又はサイズ情報を含む、方法。
【０２５８】
（付記５０）
付記４９に記載の方法であって、
前記位置情報は前記設定される帯域幅ユニットに含まれる１番目又は最後の１つのリソースブロックの順番号を含み；前記サイズ情報は前記設定される帯域幅ユニットに含まれるリソースブロックの個数を含む、方法。
【０２５９】
（付記５１）
付記４６乃至５０の任意の１項に記載の方法であって、
前記ネットワーク装置送信の上位層設定シグナリング又はブロードキャスト情報には前記リソース設定情報が含まれる、方法。
【０２６０】
（付記５２）
付記４６乃至５１の任意の１項に記載の方法であって、
前記リソース設定情報はさらに周波数帯域幅の設定情報を含み；前記周波数帯域幅は少なくとも１つの前記設定される帯域幅ユニットを含む、方法。
【０２６１】
（付記５３）
付記５２に記載の方法であって、
前記周波数帯域幅の設定情報は少なくとも１つの周波数帯域幅のうちの各周波数帯域幅において設定される帯域幅ユニットの索引値、及び／又は、少なくとも１つの周波数帯域幅のうちの各周波数帯域幅において設定される帯域幅ユニットの個数を含む、方法。
【０２６２】
（付記５４）
付記４６乃至５３の任意の１項に記載の方法であって、
前記設定される１つ又は複数の帯域幅ユニットは前記整数個のスケジューリングされる帯域幅ユニットであり、又は、前記方法はさらに、
前記ネットワーク装置が前記端末装置に帯域幅ユニット指示情報を送信することを含み、
前記帯域幅ユニット指示情報は前記設定される１つ又は複数の帯域幅ユニットにおける前記整数個のスケジューリングされる帯域幅ユニットを指示するために用いられる、方法。
【０２６３】
（付記５５）
付記５４に記載の方法であって、
前記ネットワーク装置送信のＲＲＣシグナリング、ＭＡＣシグナリング、及び物理層制御情報のうちの少なくとも１種のシグナリングは前記帯域幅ユニット指示情報を含む、方法。
【０２６４】
（付記５６）
付記５４乃至５５の任意の１項に記載の方法であって、
前記帯域幅ユニット指示情報は前記設定される帯域幅ユニットの索引を含み、又は、１つの前記周波数帯域幅の索引を含み、又は、設定される１つ又は複数の帯域幅ユニットの数に対応するビットマップを含み、前記ビットマップの各ビットは対応する１つの設定される帯域幅ユニットがスケジューリングされる帯域幅ユニットであるかを指示する、方法。
【０２６５】
（付記５７）
付記３４乃至５６の任意の１項に記載の方法であって、
前記整数個のスケジューリングされる帯域幅ユニットに含まれる帯域幅ユニットの間は重畳せず、且つ、前記スケジューリングされる帯域幅ユニットの両側にはガード間隔が存在する、方法。
【０２６６】
（付記５８）
付記５７に記載の方法であって、
前記ガード間隔のサイズはデフォルト値であり、又は、前記ガード間隔のサイズは所定サイズであり、前記所定サイズは前記スケジューリングされる帯域幅ユニットにおけるサブキャリア間隔のサイズ及び／又は前記スケジューリングされる帯域幅ユニットの帯域幅のサイズに基づいて確定される、方法。
【０２６７】
（付記５９）
付記５８に記載の方法であって、
前記ガード間隔の単位はヘルツ、又はリソースブロック、又はサブキャリアである、方法。
【０２６８】
（付記６０）
リソース指示方法であって、
前記方法はさらに、
端末装置がネットワーク装置送信のリソース設定情報を受信し、前記リソース設定情報は前記ネットワーク装置により端末装置のため１つの周波数キャリア上で設定される１つ又は複数の帯域幅ユニットを指示することを含む、方法。
【０２６９】
（付記６１）
付記６０に記載の方法であって、
前記設定される１つ又は複数の帯域幅ユニットはアンライセンス周波数バンドの周波数バンドリソースの分配単位である、方法。
【０２７０】
（付記６２）
付記６０又は６１に記載の方法であって、
前記設定される帯域幅ユニットに含まれるリソースブロックの個数は第一値に等しく、前記第一値は整数個の２０ＭＨｚの帯域幅リソースに含まれるリソースブロックの個数である、方法。
【０２７１】
（付記６３）
付記６１又は６２に記載の方法であって、
前記リソース設定情報は前記設定される１つ又は複数の帯域幅ユニットの位置情報及び／又はサイズ情報を含む、方法。
【０２７２】
（付記６４）
付記６３に記載の方法であって、
前記位置情報は前記設定される帯域幅ユニットに含まれる１番目又は最後の１つのリソースブロックの順番号を含み；前記サイズ情報は前記設定される帯域幅ユニットに含まれるリソースブロックの個数を含む、方法。
【０２７３】
（付記６５）
付記６０乃至６４の任意の１項に記載の方法であって、
前記端末装置は受信した前記ネットワーク装置送信の上位層設定シグナリング又はブロードキャスト情報から前記リソース設定情報を得る、方法。
【０２７４】
（付記６６）
付記６０乃至６５の任意の１項に記載の方法であって、
前記リソース設定情報はさらに周波数帯域幅の設定情報を含み；前記周波数帯域幅は少なくとも１つの前記設定される帯域幅ユニットを含む、方法。
【０２７５】
（付記６７）
付記６６に記載の方法であって、
前記周波数帯域幅の設定情報は少なくとも１つの周波数帯域幅のうちの各周波数帯域幅において設定される帯域幅ユニットの索引値、及び／又は、少なくとも１つの周波数帯域幅のうちの各周波数帯域幅において設定される帯域幅ユニットの個数を含む、方法。
【０２７６】
（付記６８）
付記６０乃至６７の任意の１項に記載の方法であって、
前記設定される１つ又は複数の帯域幅ユニットは整数個のスケジューリングされる帯域幅ユニットであり、又は、前記方法はさらに、
前記端末装置が前記ネットワーク装置送信の帯域幅ユニット指示情報を受信し、前記帯域幅ユニット指示情報は前記設定される１つ又は複数の帯域幅ユニットにおける前記整数個のスケジューリングされる帯域幅ユニットを指示することを含み；
そのうち、前記ネットワーク装置は前記整数個のスケジューリングされる帯域幅ユニット上で上りリンク伝送リソースをスケジューリングする、方法。
【０２７７】
（付記６９）
付記６８に記載の方法であって、
前記端末装置は前記ネットワーク装置送信のＲＲＣシグナリング、ＭＡＣシグナリング、及び物理層制御情報のうちの少なくとも１種のシグナリングにより前記帯域幅ユニット指示情報を得る、方法。
【０２７８】
（付記７０）
付記６８乃至６９の任意の１項前記であって、
前記帯域幅ユニット指示情報は前記設定される帯域幅ユニットの索引を含み、又は、１つの前記周波数帯域幅の索引を含み、又は、設定される１つ又は複数の帯域幅ユニットの数に対応するビットマップを含み、前記ビットマップの各ビットは対応する１つの設定される帯域幅ユニットがスケジューリングされる帯域幅ユニットであるかを指示する、方法。
【０２７９】
（付記７１）
リソース指示方法であって、
前記方法は、
ネットワーク装置が端末装置にリソース設定情報を送信し、前記リソース設定情報は前記ネットワーク装置により端末装置のために１つの周波数キャリア上で設定される１つ又は複数の帯域幅ユニットを指示することを含み、前記設定される１つ又は複数の帯域幅ユニットは前記整数個のスケジューリングされる帯域幅ユニットを含む、方法。
【０２８０】
（付記７２）
付記７１に記載の方法であって、
前記設定される１つ又は複数の帯域幅ユニットはアンライセンス周波数バンドの周波数バンドリソースの分配単位である、方法。
【０２８１】
（付記７３）
付記７１又は７２に記載の方法であって、
前記設定される帯域幅ユニットに含まれるリソースブロックの個数は第一値に等しく、前記第一値は整数個の２０ＭＨｚの帯域幅リソースに含まれるリソースブロックの個数である、方法。
【０２８２】
（付記７４）
付記７２又は７３に記載の方法であって、
前記リソース設定情報は前記設定される１つ又は複数の帯域幅ユニットの位置情報及び／又はサイズ情報を含む、方法。
【０２８３】
（付記７５）
付記７４に記載の方法であって、
前記位置情報は前記設定される帯域幅ユニットに含まれる１番目又は最後の１つのリソースブロックの順番号を含み；前記サイズ情報は前記設定される帯域幅ユニットに含まれるリソースブロックの個数を含む、方法。
【０２８４】
（付記７６）
付記７１乃至７５の任意の１項に記載の方法であって、
前記ネットワーク装置送信の上位層設定シグナリング又はブロードキャスト情報には前記リソース設定情報が含まれる、方法。
【０２８５】
（付記７７）
付記７１乃至７６の任意の１項に記載の方法であって、
前記リソース設定情報はさらに周波数帯域幅の設定情報を含み；前記周波数帯域幅は少なくとも１つの前記設定される帯域幅ユニットを含む、方法。
【０２８６】
（付記７８）
付記７７に記載の方法であって、
前記周波数帯域幅の設定情報は少なくとも１つの周波数帯域幅のうちの各周波数帯域幅において設定される帯域幅ユニットの索引値、及び／又は、少なくとも１つの周波数帯域幅のうちの各周波数帯域幅において設定される帯域幅ユニットの個数を含む、方法。
【０２８７】
（付記７９）
付記７１乃至７８の任意の１項に記載の方法であって、
前記設定される１つ又は複数の帯域幅ユニットは整数個のスケジューリングされる帯域幅ユニットであり、又は、前記方法はさらに、
前記ネットワーク装置が前記端末装置に帯域幅ユニット指示情報を送信し、前記帯域幅ユニット指示情報は前記設定される１つ又は複数の帯域幅ユニットにおける前記整数個のスケジューリングされる帯域幅ユニットを指示することを含み、
そのうち、前記ネットワーク装置は前記整数個のスケジューリングされる帯域幅ユニット上で上りリンク伝送リソースをスケジューリングする、方法。
【０２８８】
（付記８０）
付記７９に記載の方法であって、
前記ネットワーク装置送信のＲＲＣシグナリング、ＭＡＣシグナリング、及び物理層制御情報のうちの少なくとも１種のシグナリングは前記帯域幅ユニット指示情報を含む、方法。
【０２８９】
（付記８１）
付記７９乃至８０の任意の１項前記であって、
前記帯域幅ユニット指示情報は前記設定される帯域幅ユニットの索引を含み、又は、１つの前記周波数帯域幅の索引を含み、又は、設定される１つ又は複数の帯域幅ユニットの数に対応するビットマップを含み、前記ビットマップの各ビットは対応する１つの設定される帯域幅ユニットがスケジューリングされる帯域幅ユニットであるかを指示するために用いられる、方法。
【図１】
2021530895.tif 000019
【図２】
2021530895.tif 000020
【図３Ａ】
2021530895.tif 000021
【図３Ｂ】
2021530895.tif 000022
【図４】
2021530895.tif 000023
【図５】
2021530895.tif 000024
【図６】
2021530895.tif 000025
【図７】
2021530895.tif 000026
【図８】
2021530895.tif 000027
【図９】
2021530895.tif 000028
【図１０】
2021530895.tif 000029
【図１１】
2021530895.tif 000030
【図１２】
2021530895.tif 000031
【図１３】
2021530895.tif 000032
【図１４】
2021530895.tif 000033
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
データ送信装置であって、
ネットワーク装置送信の、上りリンク伝送リソースを指示するためのリソーススケジューリング指示情報を受信するためのレシーバーであって、前記上りリンク伝送リソースは、少なくとも１つのリソーススケジューリング単位を含み、１つのリソーススケジューリング単位は、整数個のスケジューリングされる帯域幅ユニットにおける周波数領域で間隔をあけて分布しているサブキャリアクラスターの集合である、レシーバー；及び
前記上りリンク伝送リソースで上りリンクデータを送信するためのトランスミッターを含む、データ送信装置。
【請求項２】
請求項１に記載のデータ送信装置であって、
前記サブキャリアクラスターはリソースブロックである、データ送信装置。
【請求項３】
請求項１に記載のデータ送信装置であって、
前記リソーススケジューリング指示情報は、制御情報によりキャリー（ｃａｒｒｙ）され、且つ１つのリソース分配域を含み、前記リソース分配域は、前記整数個のスケジューリングされる帯域幅ユニットにおける、スケジューリングされるリソーススケジューリング単位を指示する、データ送信装置。
【請求項４】
請求項１に記載のデータ送信装置であって、
前記レシーバーはさらに、前記ネットワーク装置送信の帯域幅ユニット指示情報を受信し、前記帯域幅ユニット指示情報は、前記整数個のスケジューリングされる帯域幅ユニットを指示するために用いられる、データ送信装置。
【請求項５】
請求項４に記載のデータ送信装置であって、
前記帯域幅ユニット指示情報は、ＲＲＣシグナリング、ＭＡＣシグナリング、又はＰＨＹ（物理層）シグナリングによりキャリーされる、データ送信装置。
【請求項６】
請求項１に記載のデータ送信装置であって、
前記レシーバーはさらに、前記ネットワーク送信のリソース設定情報を受信し、前記リソース設定情報は、キャリア上でＵＥのために設定される１つ又は複数の帯域幅ユニットを指示するために用いられ、前記１つ又は複数の帯域幅ユニットは、前記整数個のスケジューリングされる帯域幅ユニットを含む、データ送信装置。
【請求項７】
請求項６に記載のデータ送信装置であって、
前記リソース設定情報は、上位層シグナリングによりキャリーされる、データ送信装置。
【請求項８】
請求項１に記載のデータ送信装置であって、
上りリンクデータ送信前にチャネルモニタリングを行うためのモニタリング部と、
チャネルモニタリング結果に基づいて、前記整数個のスケジューリングされる帯域幅ユニットにおいてデータ送信に用いられ得る帯域幅ユニットを確定するための確定部と、
をさらに含み、
前記トランスミッターは、デー送信に用いられ得る前記帯域幅ユニットと、前記上りリンク伝送リソースとの重畳（ｏｖｅｒｌａｐ）する実際データ伝送リソース上で前記上りリンクデータを伝送する、データ送信装置。
【請求項９】
請求項８に記載のデータ送信装置であって、
所定ルールに従って前記上りリンクデータを前記実際データ伝送リソースにマッピングするためのマッピング部をさらに含み、
前記所定ルールは、前記上りリンクデータが周波数領域と時間領域の順で前記実際データ伝送リソースにおける１つのスケジューリングされる帯域幅ユニットの中の、前記上りリンク伝送リソースとオーバーラップするリソースにマッピングされた後に、周波数領域と時間領域の順で前記実際データ伝送リソースにおける次の１つのスケジューリングされる帯域幅ユニットの中の、前記上りリンク伝送リソースとオーバーラップするリソースにマッピングされることである、データ送信装置。
【請求項１０】
請求項１に記載のデータ送信装置であって、
前記スケジューリングされる帯域幅ユニットの両側にはガード間隔が存在し、前記ガード間隔のサイズはデフォルト値であり、又は、所定サイズであり、前記所定サイズは、前記前記スケジューリングされる帯域幅ユニットにおけるサブキャリア間隔のサイズ及び／又は前記スケジューリングされる帯域幅ユニットの帯域幅のサイズに基づいて確定される、データ送信装置。
【請求項１１】
請求項１０に記載のデータ送信装置であって、
前記ガード間隔の単位は、ヘルツ、リソースブロック、又はサブキャリアである、データ送信装置。
【請求項１２】
データ送信装置であって、
ネットワーク装置送信の帯域幅ユニット指示情報を受信するためのレシーバーであって、前記帯域幅ユニット指示情報は、整数個のスケジューリングされる帯域幅ユニットを指示するために用いられる、レシーバーと、
指示される前記スケジューリングされる帯域幅ユニットに基づいて、上りリンクデータ送信のためのリソースを確定するためのプロセッサーと、
を含む、データ送信装置。
【請求項１３】
請求項１２に記載のデータ送信装置であって、
前記レシーバーはさらに、前記ネットワーク装置送信のリソース設定情報を受信し、前記リソース設定情報は、キャリア上でＵＥのために設定される１つ又は複数の帯域幅ユニットを指示するために用いられ、前記１つ又は複数の帯域幅ユニットは、前記整数個のスケジューリングされる帯域幅ユニットを含む、データ送信装置。
【請求項１４】
請求項１３に記載のデータ送信装置であって、
前記リソース設定情報は、上位層シグナリングによりキャリーされる、データ送信装置。
【請求項１５】
データ受信装置であって、
帯域幅ユニット指示情報をＵＥに送信するためのトランスミッターであって、前記帯域幅ユニット指示情報は、整数個のスケジューリングされる帯域幅ユニットを指示するために用いられる、トランスミッターと、
上りリンクデータを受信するためのレシーバーと、
を含む、データ受信装置。
【請求項１６】
請求項１５に記載のデータ受信装置であって、
前記トランスミッターはさらに、リソース設定情報を前記ＵＥに送信し、前記リソース設定情報は、キャリア上で前記ＵＥのために設定される１つ又は複数の帯域幅ユニットを指示するために用いられ、前記１つ又は複数の帯域幅ユニットは、前記整数個のスケジューリングされる帯域幅ユニットを含む、データ受信装置。
【請求項１７】
請求項１６に記載のデータ受信装置であって、
前記リソース設定情報は、上位層シグナリングによりキャリーされる、データ受信装置。
【国際調査報告】
2021530895.tif 000034
2021530895.tif 000035
2021530895.tif 000036
2021530895.tif 000037